(57)【要約】【課題】  選択スライダーの選択位置に対する移動動作の単純化を図る。【解決手段】  複数のディスク状記録媒体３００を厚み方向において第１のピッチで収納するディスクカートリッジ２２６を保持するカートリッジ保持ブロック３０００と、ディスク状記録媒体を搬送するディスク搬送ブロック４０００、５０００と、ディスク状記録媒体を選択するディスク選択ブロック２０００とを設け、ディスク選択ブロックによって各ディスク状記録媒体を選択する各選択位置が、厚み方向に直交する方向において第２のピッチずつ離隔し、単位時間当たりのカートリッジホルダーの厚み方向における移動量と選択スライダーの厚み方向に直交する方向における移動量との比を、第１のピッチと第２のピッチの比と同じにした。【選択図】        図３５
2010160844.tif 000002
【特許請求の範囲】
【請求項１】
複数のディスク状記録媒体を該ディスク状記録媒体の厚み方向において所定の第１のピッチで収納するディスクカートリッジを保持するカートリッジ保持ブロックと、
前記ディスクカートリッジへの前記ディスク状記録媒体の収納時及び前記ディスクカートリッジからの前記ディスク状記録媒体の取出時に収納又は取出が行われる前記ディスク状記録媒体を搬送するディスク搬送ブロックと、
前記ディスクカートリッジからの前記ディスク状記録媒体の取出時に取出が行われる前記ディスク状記録媒体を選択するディスク選択ブロックとを備え、
前記ディスク状記録媒体の厚み方向を第１の方向とし、前記第１の方向に直交し前記ディスク状記録媒体の前記ディスクカートリッジに対する収納方向及び取出方向を第２の方向とし、前記第１の方向と第２の方向の双方に直交する方向を第３の方向とし、
前記取出時に前記ディスク選択ブロックによって前記各ディスク状記録媒体を選択する各選択位置が、前記ディスク状記録媒体の前記第１の方向における前記ディスクカートリッジに対する収納位置の順に、前記第３の方向において所定の第２のピッチずつ離隔し、かつ、前記第１の方向において前記第１のピッチずつ離隔した位置に形成され、
前記カートリッジ保持ブロックには前記ディスクカートリッジが装着されて保持されると共に前記第１の方向へ移動可能とされたカートリッジホルダーが設けられ、
前記ディスク選択ブロックには取出が行われる前記ディスク状記録媒体を前記選択位置において選択すると共に前記第３の方向へ移動可能とされた選択スライダーが設けられ、
単位時間当たりの前記カートリッジホルダーの前記第１の方向における移動量と前記選択スライダーの前記第３の方向における移動量との比を、前記第１のピッチと前記第２のピッチの比と同じにした
ディスクチェンジャー。
【請求項２】
前記カートリッジホルダーの前記第１の方向における移動と前記選択スライダーの前記第３の方向における移動とを一つのモーターによって行うようにした
請求項１に記載のディスクチェンジャー。
【請求項３】
前記複数のディスク状記録媒体を所定の枚数毎に複数のグループに区分し、
前記複数のグループ同士の各ディスク状記録媒体の選択位置を前記第１の方向に所定の間隔を空けて形成し、
前記選択スライダーを前記複数のグループの数と同数設け、
前記複数のグループの各ディスク状記録媒体の選択を各グループ毎に各別の選択スライダーによって行い、
一つの選択スライダーの移動時に他の全ての選択スライダーの移動を停止するようにした
請求項１に記載のディスクチェンジャー。
【請求項４】
前記第１の選択スライダーと前記第２の選択スライダーを前記第３の方向へ案内する共通のガイド軸を設けた
請求項３に記載のディスクチェンジャー。
【請求項５】
前記選択スライダーに前記第３の方向に延びるラック部を設け、
互いに噛合された複数のギヤが前記第３の方向に配列されて成るギヤ群を設け、
前記選択スライダーは前記ラック部が隣り合う前記ギヤに順に噛合されて前記第３の方向へ移動するようにした
請求項１に記載のディスクチェンジャー。
【発明の詳細な説明】
【技術分野】
【０００１】
本発明はディスクチェンジャーについての技術分野に関する。詳しくは、互いに直交する方向へ移動される選択スライダーとカートリッジホルダーについての単位時間当たりの移動量の比を一定にして選択スライダーの選択位置に対する移動動作の単純化を図る技術分野に関する。
【背景技術】
【０００２】
光ディスク等の複数のディスク状記録媒体を収納するディスクカートリッジを保持するカートリッジ保持ブロックと、ディスクカートリッジから所望のディスク状記録媒体を取り出して記録再生位置まで搬送するディスク搬送ブロックと、記録再生位置まで搬送されたディスク状記録媒体が装着され該ディスク状記録媒体に対する情報信号の記録や再生を行うディスクドライブブロックとを備えたディスクチェンジャーがある。
【０００３】
このようなディスクチェンジャーには、例えば、複数のディスク状記録媒体が厚み方向に並んだ状態でディスクカートリッジに収納されたものがある（例えば、特許文献１参照）。収納されたディスク状記録媒体は、所望のディスク状記録媒体がディスク選択ブロックによって選択されて取り出され、ディスク搬送ブロックによって記録再生位置まで搬送される。
【０００４】
【特許文献１】特開２００２−５０１０５号公報
【発明の開示】
【発明が解決しようとする課題】
【０００５】
ところで、上記のようなディスクチェンジャーにおいて、各ディスク状記録媒体についての選択位置を該ディスク状記録媒体の厚み方向に並ぶ位置に設定してしまうと、ディスク状記録媒体は厚みが薄いため、隣り合う各選択位置が近接して位置されてしまう。
【０００６】
従って、ディスク選択ブロックが移動されたときの選択位置に対する位置精度を高める必要が生じ、高い位置精度を確保するためにコストの高騰を来たしたり、ディスク選択ブロックやその動作が複雑化するおそれがある。
【０００７】
特に、ディスクチェンジャーのように、大型化を来たすことなく多数のディスク状記録媒体をディスクカートリッジに収納可能とすることが望ましい装置にあっては、各ディスク状記録媒体の間隔を可能な限り小さくする必要があり、各ディスク状記録媒体の間隔を小さくしてディスク状記録媒体の収納数を増やす程、選択位置に対する高い位置精度が要求される。
【０００８】
そこで、本発明ディスクチェンジャーは、上記した問題点を克服し、選択スライダーの選択位置に対する移動動作の単純化を図ることを課題とする。
【課題を解決するための手段】
【０００９】
ディスクチェンジャーは、上記した課題を解決するために、複数のディスク状記録媒体を該ディスク状記録媒体の厚み方向において所定の第１のピッチで収納するディスクカートリッジを保持するカートリッジ保持ブロックと、前記ディスクカートリッジへの前記ディスク状記録媒体の収納時及び前記ディスクカートリッジからの前記ディスク状記録媒体の取出時に収納又は取出が行われる前記ディスク状記録媒体を搬送するディスク搬送ブロックと、前記ディスクカートリッジからの前記ディスク状記録媒体の取出時に取出が行われる前記ディスク状記録媒体を選択するディスク選択ブロックとを備え、前記ディスク状記録媒体の厚み方向を第１の方向とし、前記第１の方向に直交し前記ディスク状記録媒体の前記ディスクカートリッジに対する収納方向及び取出方向を第２の方向とし、前記第１の方向と第２の方向の双方に直交する方向を第３の方向とし、前記取出時に前記ディスク選択ブロックによって前記各ディスク状記録媒体を選択する各選択位置が、前記ディスク状記録媒体の前記第１の方向における前記ディスクカートリッジに対する収納位置の順に、前記第３の方向において所定の第２のピッチずつ離隔し、かつ、前記第１の方向において前記第１のピッチずつ離隔した位置に形成され、前記カートリッジ保持ブロックには前記ディスクカートリッジが装着されて保持されると共に前記第１の方向へ移動可能とされたカートリッジホルダーが設けられ、前記ディスク選択ブロックには取出が行われる前記ディスク状記録媒体を前記選択位置において選択すると共に前記第３の方向へ移動可能とされた選択スライダーが設けられ、単位時間当たりの前記カートリッジホルダーの前記第１の方向における移動量と前記選択スライダーの前記第３の方向における移動量との比を、前記第１のピッチと前記第２のピッチの比と同じにしたものである。
【００１０】
従って、ディスクチェンジャーにあっては、単位時間当たりにおいて第１のピッチと第２のピッチの比に応じてカートリッジホルダーと選択スライダーがそれぞれ第１の方向と第３の方向へ移動される。
【００１１】
前記ディスクチェンジャーにおいては、前記カートリッジホルダーの前記第１の方向における移動と前記選択スライダーの前記第３の方向における移動とを一つのモーターによって行うようにすることが望ましい。
【００１２】
カートリッジホルダーの第１の方向における移動と選択スライダーの第３の方向における移動とを一つのモーターによって行うことにより、カートリッジホルダーと選択スライダーが一つのモーターの駆動力によって移動される。
【００１３】
前記ディスクチェンジャーにおいては、前記複数のディスク状記録媒体を所定の枚数毎に複数のグループに区分し、前記複数のグループ同士の各ディスク状記録媒体の選択位置を前記第１の方向に所定の間隔を空けて形成し、前記選択スライダーを前記複数のグループの数と同数設け、前記複数のグループの各ディスク状記録媒体の選択を各グループ毎に各別の選択スライダーによって行い、一つの選択スライダーの移動時に他の全ての選択スライダーの移動を停止するようにすることが望ましい。
【００１４】
一つの選択スライダーの移動時に他の全ての選択スライダーの移動を停止することにより、選択スライダーが選択的に移動される。
【００１５】
前記ディスクチェンジャーにおいては、前記第１の選択スライダーと前記第２の選択スライダーを前記第３の方向へ案内する共通のガイド軸を設けることが望ましい。
【００１６】
第１の選択スライダーと第２の選択スライダーを第３の方向へ案内する共通のガイド軸を設けることにより、第１の選択スライダーと第２の選択スライダーがガイド軸に案内されて第３の方向へ移動される。
【００１７】
前記ディスクチェンジャーにおいては、前記選択スライダーに前記第３の方向に延びるラック部を設け、互いに噛合された複数のギヤが前記第３の方向に配列されて成るギヤ群を設け、前記選択スライダーは前記ラック部が隣り合う前記ギヤに順に噛合されて前記第３の方向へ移動するようにすることが望ましい。
【００１８】
選択スライダーをラック部が隣り合うギヤに順に噛合されて第３の方向へ移動させることにより、選択スライダーのラック部の第３の方向における長さを隣り合うギヤ間の長さにすることが可能となる。
【発明の効果】
【００１９】
本発明ディスクチェンジャーは、複数のディスク状記録媒体を該ディスク状記録媒体の厚み方向において所定の第１のピッチで収納するディスクカートリッジを保持するカートリッジ保持ブロックと、前記ディスクカートリッジへの前記ディスク状記録媒体の収納時及び前記ディスクカートリッジからの前記ディスク状記録媒体の取出時に収納又は取出が行われる前記ディスク状記録媒体を搬送するディスク搬送ブロックと、前記ディスクカートリッジからの前記ディスク状記録媒体の取出時に取出が行われる前記ディスク状記録媒体を選択するディスク選択ブロックとを備え、前記ディスク状記録媒体の厚み方向を第１の方向とし、前記第１の方向に直交し前記ディスク状記録媒体の前記ディスクカートリッジに対する収納方向及び取出方向を第２の方向とし、前記第１の方向と第２の方向の双方に直交する方向を第３の方向とし、前記取出時に前記ディスク選択ブロックによって前記各ディスク状記録媒体を選択する各選択位置が、前記ディスク状記録媒体の前記第１の方向における前記ディスクカートリッジに対する収納位置の順に、前記第３の方向において所定の第２のピッチずつ離隔し、かつ、前記第１の方向において前記第１のピッチずつ離隔した位置に形成され、前記カートリッジ保持ブロックには前記ディスクカートリッジが装着されて保持されると共に前記第１の方向へ移動可能とされたカートリッジホルダーが設けられ、前記ディスク選択ブロックには取出が行われる前記ディスク状記録媒体を前記選択位置において選択すると共に前記第３の方向へ移動可能とされた選択スライダーが設けられ、単位時間当たりの前記カートリッジホルダーの前記第１の方向における移動量と前記選択スライダーの前記第３の方向における移動量との比を、前記第１のピッチと前記第２のピッチの比と同じにしている。
【００２０】
従って、ディスクカートリッジが保持されたカートリッジホルダーの移動時に、選択位置と選択スライダーの移動する位置とが常に第２の方向において一致され、選択スライダーを常に選択位置に合わせる動作を容易に行うことができる。
【００２１】
請求項２に記載した発明にあっては、前記カートリッジホルダーの前記第１の方向における移動と前記選択スライダーの前記第３の方向における移動とを一つのモーターによって行うようにしている。
【００２２】
従って、部品点数の削減を図ることができる。
【００２３】
請求項３に記載した発明にあっては、前記複数のディスク状記録媒体を所定の枚数毎に複数のグループに区分し、前記複数のグループ同士の各ディスク状記録媒体の選択位置を前記第１の方向に所定の間隔を空けて形成し、前記選択スライダーを前記複数のグループの数と同数設け、前記複数のグループの各ディスク状記録媒体の選択を各グループ毎に各別の選択スライダーによって行い、一つの選択スライダーの移動時に他の全ての選択スライダーの移動を停止するようにしている。
【００２４】
従って、選択スライダーによるディスクトレイに対する選択動作の効率化を図ることができる。
【００２５】
請求項４に記載した発明にあっては、前記第１の選択スライダーと前記第２の選択スライダーを前記第３の方向へ案内する共通のガイド軸を設けている。
【００２６】
従って、部品点数の削減を図ることができる。
【００２７】
請求項５に記載した発明にあっては、前記選択スライダーに前記第３の方向に延びるラック部を設け、互いに噛合された複数のギヤが前記第３の方向に配列されて成るギヤ群を設け、前記選択スライダーは前記ラック部が隣り合う前記ギヤに順に噛合されて前記第３の方向へ移動するようにしている。
【００２８】
従って、選択スライダーのラック部の第３の方向における長さが短くて済み、ディスクチェンジャーの小型化を図ることができる。
【発明を実施するための最良の形態】
【００２９】
以下に、本発明を実施するための最良の形態を添付図面に従って説明する。
【００３０】
以下の説明においては、説明の便宜上、ディスクカートリッジをディスクチェンジャーに対して挿入する方向を後方とし、ディスクカートリッジをディスクチェンジャーから排出する方向を前方とする。
【００３１】
尚、以下に示す上下前後左右の方向は、説明の便宜上示すものであり、本発明はこれらの方向に限定して適用されることはない。
【００３２】
＜ディスクチェンジャーの概略構成＞
ディスクチェンジャー１は、図１に示すように、外筐２の内部に所要の各部が配置されて成る。外筐２は、例えば、前後方向に長い直方体状に形成されている。
【００３３】
外筐２はフロントパネル３を有し、該フロントパネル３にディスクカートリッジ２００の挿入及び取出を行うための開口３ａが形成されている。フロントパネル３には開口３ａを開閉する開閉扉４が回動自在に支持されている。
【００３４】
フロントパネル３の前面には複数の操作部５、５、・・・と表示部６、６が配置されている。操作部５、５、・・・としては、例えば、再生釦、記録釦、停止釦、ディスクチェンジ釦、イジェクト釦、電源釦等が設けられている。表示部６には、例えば、再生や記録が行われるディスク番号や再生位置等が表示される。
【００３５】
＜ディスクカートリッジの概略構成＞
ディスクカートリッジ２００は、収納ケース２０１に所要の各部が配置されて成る。収納ケース２０１は本体２０２と該本体２０２の後端部に回動自在に支持された開閉蓋２０３とから成る（図１及び図２参照）。
【００３６】
本体２０２は、図２に示すように、それぞれ上下方向を向く底面部２０４及び天面部２０５と、一対の側面部２０６、２０６と、該側面部２０６、２０６の前端部間に配置された前面部２０７とによって構成されている。従って、本体２０２は後方に開口された箱状に形成され、後方の開口が開口部２０２ａとして形成されている。
【００３７】
側面部２０６、２０６は、例えば、導電性材料によって形成されている。
【００３８】
底面部２０４の左右方向における中央部にはトレイ受け２０８が取り付けられている。トレイ受け２０８は底面部２０４の後端寄りの位置に配置された幅広部２０４ａと該幅広部２０４ａの左右方向における中央部から前方へ突出された幅細部２０４ｂとが一体に形成されて成る。トレイ受け２０８の前端部は底面部２０４の前端寄りの位置に配置されている。
【００３９】
＜ディスクカートリッジの内部構成＞
底面部２０４の前端部には下側支持部材２０９が取り付けられている。下側支持部材２０９は左右方向に延びる支持部２１０と該支持部２１０の右端寄りの位置から後方へ突出された位置決めリブ２１１とから成る。
【００４０】
支持部２１０は上面が右方へ行くに従って段階的に上方に位置するように階段状に形成され、各段差によって区切られた各部にそれぞれ上方へ突出された支持軸２１０ａ、２１０ａ、・・・が設けられている。支持軸２１０ａ、２１０ａ、・・・は、例えば、１０本が設けられている。各段差によって区切られた隣接する各部は、例えば、０．５ｍｍ間隔で高さが段階的に異なるようにされている。
【００４１】
位置決めリブ２１１は高さが支持部２１０の高さより高くされ、上端が支持部２１０の上面より上方に位置され、高さが底面部２０４と天面部２０５の距離と略同じにされた左右方向を向く板状に形成されている。
【００４２】
支持軸２１０ａ、２１０ａ、・・・にはそれぞれトレイ用レバー２１２、２１２、・・・が回動自在に支持される。トレイ用レバー２１２の厚みは、例えば、３ｍｍとされている。一本の支持軸２１０ａには、例えば、二つのトレイ用レバー２１２、２１２が上下に離隔して支持され、二つのトレイ用レバー２１２、２１２間には支持軸２１０ａに挿入されたスペーサー２１３が配置される。
【００４３】
従って、支持軸２１０ａ、２１０ａ、・・・には、それぞれ上下２段に位置された二つずつのトレイ用レバー２１２、２１２がそれぞれ回動自在に支持される。
【００４４】
上記したように、下側支持部材２０９は支持部２１０が右方へ行くに従って段階的に上方に位置する階段状に形成されているため、左右方向において隣り合って位置されたトレイ用レバー２１２、２１２、・・・は右方へ行くに従って段階的に上方に位置される。
【００４５】
支持軸２１０ａ、２１０ａ、・・・にそれぞれトレイ用レバー２１２、２１２、・・・が支持された状態において、支持軸２１０ａ、２１０ａ、・・・の各上端部に上側支持部材２１４が取り付けられる（図２及び図３参照）。上側支持部材２１４は左右方向に延びる支持部２１５と該支持部２１５の左端寄りの位置から後方へ突出された位置決めリブ２１６とから成る。
【００４６】
支持部２１５は下面が右方へ行くに従って段階的に上方に位置するように階段状に形成されている。
【００４７】
位置決めリブ２１６は高さが支持部２１５の高さより高くされ、下端が支持部２１５の下面より下方に位置され、高さが底面部２０４と天面部２０５の距離と略同じにされた左右方向を向く板状に形成されている。
【００４８】
上側支持部材２１４が支持軸２１０ａ、２１０ａ、・・・の各上端部に取り付けられた状態においては、位置決めリブ２１６が下側支持部材２０９の位置決めリブ２１１と左右に離隔して平行な状態で位置される。
【００４９】
上側支持部材２１４は上面が天面部２０５の下面に取り付けられる。
【００５０】
＜トレイ用レバー＞
トレイ用レバー２１２は平面形状で見て略Ｌ字状に形成され、図４に示すように、支持軸２１０ａに支持された円環状の被支持部２１７と該被支持部２１７からそれぞれ略互いに直交する方向へ突出された第１の突部２１８、第２の突部２１９とが一体に形成されて成る。
【００５１】
被支持部２１７には周方向に離隔して第１の係合突部２１７ａと第２の係合突部２１７ｂが設けられている。
【００５２】
第１の突部２１８の先端部には第２の突部２１９と略同じ方向へ突出されたロック用突部２１８ａが設けられている。
【００５３】
第２の突部２１９の先端寄りの位置にはストッパー突部２１９ａが設けられ、第２の突部２１９の先端部は押圧部２１９ｂとして設けられている。
【００５４】
＜金属板＞
トレイ用レバー２１２、２１２、・・・の前側には前面部２０７の後面に取り付けられた金属板２２０が配置されている。金属板２２０は、図５に示すように、外形が横長の矩形状に形成され、ベース面部２２１と所定の各部分が打ち出されて形成された複数の付勢バネ２２２、２２２、・・・とが一体に形成されて成る。付勢バネ２２２、２２２、・・・は、例えば、トレイ用レバー２１２、２１２、・・・と同数の２０個が設けられている。
【００５５】
上記のように金属板２２０を加工してベース面部２２１と複数の付勢バネ２２２、２２２、・・・とを一体に形成しているため、付勢バネ２２２、２２２、・・・を各別の部品として形成する必要がなく、部品点数の削減を図ることができる。
【００５６】
付勢バネ２２２、２２２、・・・は、それぞれトレイ用レバー２１２、２１２、・・・に近接し、かつ、直前に位置するように設けられている。即ち、付勢バネ２２２、２２２、・・・は上下２段の上下に１０個ずつが等間隔で設けられ、右方に位置するに従って上方に位置するようにされている。
【００５７】
付勢バネ２２２はベース面部２２１から側方へ突出され、該ベース面部２２１に連続する基部２２２ａと、該基部２２２ａに連続し左方へ行くに従って後方へ変位するように傾斜された第１の傾斜部２２２ｂと、該第２の傾斜部２２２ｂに連続し左方へ行くに従って前方へ変位するように傾斜された第２の傾斜部２２２ｃとから成る。
【００５８】
金属板２２０には付勢バネ２２２、２２２、・・・の周囲、即ち、付勢バネ２２２、２２２、・・・の上下及び左方にそれぞれ空間が形成されており、付勢バネ２２２、２２２、・・・の左側の空間がそれぞれ押圧用挿通孔２２０ａ、２２０ａ、・・・として形成されている。
【００５９】
押圧用挿通孔２２０ａ、２２０ａ、・・・はそれぞれトレイ用レバー２１２、２１２、・・・の第２の突部２１９、２１９、・・・の直前に位置されている。
【００６０】
＜収納ケースの側面部の構成＞
収納ケース２０１の側面部２０６、２０６の内面には、それぞれ複数の保持溝２０６ａ、２０６ａ、・・・が形成されている。保持溝２０６ａ、２０６ａ、・・・は後述するディスクトレイを保持するための溝であり、側面部２０６、２０６に、例えば、２０個ずつ形成され、前後方向に長く形成されている。保持溝２０６ａ、２０６ａ、・・・の上下方向における間隔（ピッチ）は、例えば、０．５ｍｍとされている。
【００６１】
収納ケース２０１の前面部２０７の後面には後方に開口された凹部２０７ａ、２０７ａ、・・・が形成されている。凹部２０７ａ、２０７ａ、・・・は左右方向において等間隔に形成され、右方へ行くに従って上方に位置するようにされている。
【００６２】
＜収納ケースの前面部の構成＞
前面部２０７の前面には複数のピン挿入孔２２３、２２３、・・・が形成されている（図６参照）。ピン挿入孔２２３、２２３、・・・は上下２段の上下に１０個ずつが等間隔で形成され、右方へ行くに従って上方に位置するようにされている。上下に位置するピン挿入孔２２３、２２３の中心間の距離は、例えば、５ｍｍとされ、左右方向において隣り合うピン挿入孔２２３、２２３の中心間の距離は、例えば、１２ｍｍとされている。
【００６３】
ピン挿入孔２２３、２２３、・・・はそれぞれ金属板２２０に形成された押圧用挿通孔２２０ａ、２２０ａ、・・・の直前に位置されている。
【００６４】
ピン挿入孔２２３は前方へ行くに従って径が大きくなるように形成されている（図７参照）。ピン挿入孔２２３、２２３、・・・は後端がそれぞれ凹部２０７ａ、２０７ａ、・・・に開口されている。
【００６５】
＜開閉蓋＞
開閉蓋２０３は、図２及び図３に示すように、左右に長い開閉部２２４と該開閉部２２４の左右両端部からそれぞれ前方へ突出された被支持突部２２５、２２５とから成る。開閉蓋２０３は被支持突部２２５、２２５がそれぞれ側面部２０６、２０６の後端部に支持され、該側面部２０６、２０６に対して回動される。
【００６６】
開閉蓋２０３によって本体２０２の開口部２０２ａが閉塞された状態においては、図示しないロック機構によって開閉蓋２０３がロックされる。
【００６７】
開閉蓋２０３には開閉部２２４の左右方向における中央部に位置決め部２２４ａが設けられている。位置決め部２２４ａは開閉部２２４の内面に該開閉部２２４の長手方向に直交する方向に延びるように設けられ、本体２０２の開口部２０２ａの上下の幅と略同じ長さに形成されている。
【００６８】
＜ディスクトレイ＞
収納ケース２０１には複数のディスクトレイ２２６、２２６、・・・が上下方向に並んだ状態で収納される（図８参照）。
【００６９】
ディスクトレイ２２６は、例えば、厚さが０．１５ｍｍにされたシート状の導電性を有する金属材料によって形成されヤング率の高い弾性体として設けられている。ディスクトレイ２２６の材料としては剛性が高く曲げ強度の大きな材料、例えば、ステンレス鋼が用いられている。
【００７０】
ディスクトレイ２２６の前端部には左右に離隔してリブ配置切欠２２６ａ、２２６ａが形成されている（図９参照）。リブ配置切欠２２６ａ、２２６ａは前後に延び前端に開口されたスリット状に形成されている。
【００７１】
ディスクトレイ２２６には前縁から前方へ突出されたタブ２２７が設けられている。タブ２２７は前縁に連続する被押圧部２２７ａと該被押圧部２２７ａの前端部から右方へ突出された被ロック用突部２２７ｂとから成る。
【００７２】
タブ２２７、２２７、・・・は収納ケース２０１に収納されるディスクトレイ２２６、２２６、・・・の位置に応じて左右方向における形成位置が異なるようにされている（図８及び図１０参照）。例えば、収納ケース２０１には２０枚のディスクトレイ２２６、２２６、・・・が収納され（図８参照）、上側に位置する１０枚のディスクトレイ２２６、２２６、・・・を第１のグループＧ１とし、下側に位置する１０枚のディスクトレイ２２６、２２６、・・・を第２のグループＧ２とすると、各グループＧ１、Ｇ２毎に最も上方に位置するディスクトレイ２２６、２２６のタブ２２７、２２７の形成位置が最も右側とされている。タブ２２７、２２７、・・・の形成位置は、各グループＧ１、Ｇ２毎に、ディスクトレイ２２６、２２６の収納ケース２０１に対する収納位置が下がるに従って順に左側に位置され、上から１０枚目のディスクトレイ２２６、２２６のタブ２２７、２２７の形成位置が最も左側とされている。
【００７３】
第１のグループＧ１と第２のグループＧ２の上下方向に離隔して位置されたタブ２２７、２２７の間隔は、それぞれ、例えば、５ｍｍとされている。また、各グループＧ１、Ｇ２において、上下方向において隣り合うディスクトレイ２２６、２２６のタブ２２７、２２７の左右方向におけるピッチは、例えば、１２ｍｍとされている。従って、ディスクトレイ２２６、２２６、・・・が収納ケース２０１に収納された状態において、タブ２２７、２２７、・・・はそれぞれ収納ケース２０１の前端部に配置されたトレイ用レバー２１２、２１２、・・・の後方において近接して位置される。
【００７４】
ディスクトレイ２２６の前端寄りの位置には左右に離隔して軸挿入孔２２６ｂ、２２６ｂが形成されている（図９参照）。
【００７５】
ディスクトレイ２２６には後方に開口された配置用切欠２２６ｃが形成されている。配置用切欠２２６ｃはディスクトレイ２２６の後端から中央部まで切り欠かれて形成され、後述するディスクテーブルが配置される部分である。
【００７６】
ディスクトレイ２２６には配置用切欠２２６ｃの前縁に連続した部分に小さな切欠が形成され、この切欠の前縁がそれぞれ位置決め縁２２６ｄ、２２６ｄとして設けられている。
【００７７】
ディスクトレイ２２６には配置用切欠２２６ｃの左右にそれぞれ後方に開口された挿入用切欠２２６ｅ、２２６ｅが形成されている。挿入用切欠２２６ｅ、２２６ｅの前端部はそれぞれ軸挿入孔２２６ｆ、２２６ｆとして形成され、挿入用切欠２２６ｅ、２２６ｅの開口縁における前端寄りの部分にはそれぞれ作用突縁２２６ｇ、２２６ｇが設けられている。ディスクトレイ２２６の前端部は接合部２２６ｈとして設けられている。
【００７８】
＜カバーシート＞
カバーシート２２８は、ディスクトレイ２２６より厚みが薄いシート状の樹脂材料によって形成されている。
【００７９】
カバーシート２２８の前端部には左右に離隔してリブ配置切欠２２８ａ、２２８ａが形成されている。リブ配置切欠２２８ａ、２２８ａは前後に延び前端に開口されたスリット状に形成され、それぞれディスクトレイ２２６に形成されたリブ配置切欠２２６ａ、２２６ａの真上に位置されている。
【００８０】
カバーシート２２８の前端部は接合部２２８ｂとして設けられ、例えば、接着によりディスクトレイ２２６の２２６ｈに接合されている。
【００８１】
カバーシート２２８の後縁には、左右方向における中央部に前方に開口された位置決め凹部２２８ｃが形成されている。
【００８２】
カバーシート２２８は、左右方向における幅がディスクトレイ２２６の左右方向における幅より稍小さく、前後方向における幅がディスクトレイ２２６の前後方向における幅と略同じにされている。従って、カバーシート２２８は接合部２２８ｂがディスクトレイ２２６の接合部２２６ｈに接合された状態において、前縁がディスクトレイ２２６の前縁に略一致され、左右両側縁がそれぞれディスクトレイ２２６の左右両側縁より稍内側に位置されている。
【００８３】
＜ディスク状記録媒体＞
ディスクトレイ２２６とカバーシート２２８の間には、カバーシート２２８より厚くディスクトレイ２２６より薄い樹脂材料によって形成されたシート状のディスク状記録媒体３００が配置される（図１０及び図１１参照）。ディスク状記録媒体３００の直径はディスクトレイ２２６の前後左右の各幅より稍小さくされている。ディスク状記録媒体３００がディスクトレイ２２６とカバーシート２２８の間に配置された状態においては、ディスク状記録媒体３００の外周縁がディスクトレイ２２６に形成された四つの軸挿入孔２２６ｂ、２２６ｂ、２２６ｆ、２２６ｆの開口縁における各内側の部分に近接して位置される。
【００８４】
ディスク状記録媒体３００は、上記したように、ディスクトレイ２２６とカバーシート２２８の間に配置されて保持された状態でディスクトレイ２２６とカバーシート２２８とともに収納ケース２０１の内部に収納される。ディスク状記録媒体３００が収納された状態においては、図１２に示すように、ディスクトレイ２２６の左右両端部が側面部２０６、２０６にそれぞれ形成された保持溝２０６ａ、２０６ａに挿入されて保持される。尚、図１２及び後述する図１５には、ディスクトレイ２２６、２２６、・・・、ディスク状記録媒体３００、３００、・・・及びカバーシート２２８、２２８、・・・の収納枚数を減じた状態で収納ケース２０１に対する収納状態を概念的に示している。
【００８５】
上記のように、ディスクトレイ２２６を導電性材料によって形成することにより、ディスク状記録媒体３００の帯電を防止することができる。尚、カバーシート２２８を導電性材料によって形成することにより、ディスク状記録媒体３００の帯電を防止することも可能である。
【００８６】
また、上記のように、収納ケース２０１の側面部２０６、２０６を導電性材料によって形成することにより、ディスクトレイ２２６及びディスク状記録媒体３００の帯電を防止することができる。
【００８７】
＜ディスクカートリッジの寸法＞
ディスクカートリッジ２００にあっては、ディスクトレイ２２６の左右方向における幅Ｗｔがディスク状記録媒体３００の直径Ｄより大きくされ、側面部２０６、２０６間の距離Ｗｓがディスク状記録媒体３００の直径Ｄより大きくディスクトレイ２２６の左右方向における幅Ｗｔより小さくされている。また、側面部２０６に形成された保持溝２０６ａの上下方向における幅Ｈｍは、ディスクトレイ２２６の厚みＨｔより大きく、かつ、ディスクトレイ２２６の厚みＨｔとディスク状記録媒体３００の厚みＨｄの合計より小さくされている。
【００８８】
従って、ディスク状記録媒体３００が保持溝２０６ａ、２０６ａには挿入されず側面部２０６、２０６の内面によって左右方向における位置決めが行われる。このようにディスクカートリッジ２００にあっては、ディスクトレイ２２６にディスク状記録媒体３００を位置決めするための位置決め部を必要としないため、ディスクトレイ２２６の薄型化及びディスクカートリッジ２００に対するディスク状記録媒体３００の収納枚数を増やすことができる。
【００８９】
＜ディスク状記録媒体の収納＞
上記のようにディスク状記録媒体３００、３００、・・・が収納された状態においては、図１３に示すように、全てのディスクトレイ２２６、２２６、・・・のリブ配置切欠２２６ａ、２２６ａ、・・・及びカバーシート２２８、２２８、・・・のリブ配置切欠２２８ａ、２２８ａ、・・・にそれぞれ位置決めリブ２１１、２１６が挿入される。
【００９０】
このとき位置決めリブ２１１、２１６はそれぞれ後縁が収納されたディスク状記録媒体３００、３００、・・・の外周面に当接又は近接して位置されるため、位置決めリブ２１１、２１６によってディスク状記録媒体３００、３００、・・・の前後方向における位置決めが行われる。
【００９１】
従って、位置決めリブ２１１、２１６によって全てのディスク状記録媒体３００、３００、・・・の前後方向における位置決めが行われるため、位置決めリブ２１１、２１６をディスク状記録媒体３００、３００、・・・の数と同数設ける必要がなく、部品点数の削減による構造の簡素化を図ることができる。
【００９２】
ディスク状記録媒体３００、３００、・・・が収納された状態においては、図１４に示すように、開閉蓋２０３によって本体２０２の開口部２０２ａが閉塞され、開閉蓋２０３の位置決め部２２４ａが全てのカバーシート２２８、２２８、・・・の位置決め凹部２２８ｃ、２２８ｃ、・・・に挿入される。
【００９３】
このとき位置決め部２２４ａは収納されたディスク状記録媒体３００、３００、・・・の外周面に当接又は近接して位置されるため、位置決め部２２４ａによってディスク状記録媒体３００、３００、・・・の前後方向における位置決めが行われる。
【００９４】
従って、開口部２０２ａを閉塞した開閉蓋２０３の位置決め部２２４ａによってディスク状記録媒体３００、３００、・・・の位置決めが行われるため、ディスク状記録媒体３００、３００、・・・の収納ケース２０１からの脱落の防止を図ることができると共にディスク状記録媒体３００、３００、・・・の位置決めを行うことができる。
【００９５】
また、閉塞蓋２０３によって全てのディスク状記録媒体３００、３００、・・・の位置決めが行われるため、部品点数の削減による構造の簡素化を図ることができる。
【００９６】
＜ディスクトレイの撓み＞
以下に、ディスクトレイ２２６、２２６、・・・に保持されたディスク状記録媒体３００、３００、・・・が収納ケース２０１に収納された状態において、ディスクトレイ２２６、２２６、・・・が撓んだ状態について説明する（図１５参照）。
【００９７】
上記したように、ディスクトレイ２２６、ディスク状記録媒体３００及びカバーシート２２８はシート状に形成されているため、振動や外力による負荷が生じたときに左右方向における中央部が他の部分より下方に位置するように撓む場合が生じる。
【００９８】
収納ケース２０１の底面部２０４にはトレイ受け２０８が取り付けられており、ディスクトレイ２２６、２２６、・・・等が最も大きく撓んだときには、最下段に位置するディスクトレイ２２６の左右方向における中央部がトレイ受け２０８に接した状態とされる。このときディスクトレイ２２６、２２６、・・・は側面部２０６、２０６の保持溝２０６ａ、２０６ａ、・・・に保持され、該保持溝２０６ａ、２０６ａ、・・・が上下に所定のピッチで形成されているため、最上段に位置されたディスクトレイ２２６が最も大きく撓む。
【００９９】
尚、ディスクカートリッジ２００にあっては、振動や外力による負荷が生じたときに左右方向における中央部が他の部分より上方に位置するように撓む場合も生じるが、以下には、ディスクトレイ２２６、２２６、・・・等が下方に撓んだ場合についてのみ説明する。
【０１００】
ディスクトレイ２２６は、上記したように、剛性が高く曲げ強度の大きな材料によって形成され、カバーシート２２８とディスク状記録媒体３００はプラスチックフィルム等の剛性が低く曲げ強度の弱い材料によって形成されている。従って、ディスクトレイ２２６等が撓んだ状態について考察する以下の場合に、カバーシート２２８とディスク状記録媒体３００の曲げ強度は無視して考察する。
【０１０１】
また、カバーシート２２８とディスク状記録媒体３００はディスクトレイ２２６と比較して重量が極めて小さいため、ディスクトレイ２２６等が撓んだ状態について考察する以下の場合に、カバーシート２２８とディスク状記録媒体３００の重量も無視して考察する。
【０１０２】
図１６に示すように、ディスクトレイ２２６の左右方向における長さを長さＬとし、ディスクトレイ２２６が撓んでいない状態において該ディスクトレイ２２６の保持溝２０６ａ、２０６ａに対する挿入量（左右方向における長さ）をそれぞれＬｔ、Ｌｔとする。
【０１０３】
ディスクトレイ２２６が撓む状態は、図１７に示すように、等分布荷重ｑを受けたときの両端支持梁のモデルとして考察することができ、最大の撓み量をδ、撓み角をθとすると、
（１）δ＝５ｑＬ４／３８４ＥＩ
（２）θ＝ｑＬ３／２４ＥＩ
となる。Ｅはディスクトレイ２２６の縦弾性係数、Ｉはディスクトレイ２２６の断面２次モーメントである。最大の撓み量δは最上段に位置するディスクトレイ２２６に発生する。
【０１０４】
図１８は、両端支持梁が等分布荷重ｑを受けたときの右半分の状態を簡略化して示す図である。尚、両端支持梁が等分布荷重ｑを受けたときには、両端支持梁の長手方向（図に示す左右方向）には力が生じない。また、両端支持梁が撓んだときには、中立軸より上側に圧縮応力が生じ、中立軸より下側に引張応力が生じるが、これらの応力の大きさは両端支持梁の長手方向の力としては無視できる程度である。従って、両端支持梁が等分布荷重ｑを受けたときには、両端支持梁は長手方向に伸縮しないものとして考察する。
【０１０５】
両端支持梁の右半分の長さＬ／２を以下のように
（３）Ｌ／２＝ａ（但し、Δａ＝Δｂ・ｃｏｓθ）
とする。このとき撓む前の両端支持梁の右端から撓んだ後の両端支持梁の中央までの距離をｂとすると、
（４）ｂ＝Ｌ／２＋Δｂ
＝ａ＋Δｂ
となる。
【０１０６】
従って、図１９に示すように、両端支持梁が撓んだときにはΔｂだけ両端支持梁の右端が左方へ変位する。
【０１０７】
このように考察すると、以下の条件式（５）
（５）Ｌｔ＞Δａ
を満足するように保持溝２０６ａに対するディスクトレイ２２６の挿入量Ｌｔを設定すれば、撓みが生じたときにディスクトレイ２２６は保持溝２０６ａ、２０６ａから脱落しないことになる。
【０１０８】
そこで、ディスクカートリッジ２００にあっては、最大の撓み量δが生じた場合においても条件式（５）を満足するように構成されている。
【０１０９】
図２０は、理解を容易にするために、図２０の向きを変更した図である。図１９より、
（６）ｂ＝ａ／ｃｏｓθ
（７）Δｂ＝ｂ−Ｌ／２
＝（１／ｃｏｓθ）・（Ｌ／２）−Ｌ／２
＝（Ｌ／２）・（１／ｃｏｓθ−１）
（８）Δａ＝Δｂ・ｃｏｓθ
＝（Ｌ／２）・（１／ｃｏｓθ−１）・ｃｏｓθ
＝（Ｌ／２）・（１−ｃｏｓθ）
となり、Δａは撓み角θと両端支持梁（ディスクトレイ２２６）の長さＬから算出することができる。また、撓み角θは上記した式（１）、（２）を用いて撓み量δから算出することができる。
【０１１０】
上記したように、ディスクカートリッジ２００にあっては、条件式（５）Ｌｔ＞Δａを満足するように構成されているため、ディスクトレイ２２６が撓んだときの保持溝２０６ａ、２０６ａからの脱落を回避することができる。
【０１１１】
尚、振動や外力により撓んだディスクトレイ２２６、ディスク状記録媒体３００及びカバーシート２２８は、振動や外力が消失又は低減したときに、主に、ディスクトレイ２２６の弾性により弾性復帰して元の状態に戻る。
【０１１２】
＜トレイ用レバーの動作＞
次に、トレイ用レバー２１２の動作について説明する（図２１乃至図２９参照）。
【０１１３】
トレイ用レバー２１２、２１２、・・・はそれぞれ第２の突部２１９、２１９、・・・が金属板２２０に形成された押圧用挿通孔２２０ａ、２２０ａ、・・・の真後ろに位置されている（図２１参照）。また、押圧用挿通孔２２０ａ、２２０ａ、・・・はそれぞれ前面部２０７に形成されたピン挿入孔２２３、２２３、・・・の真後ろに位置されている。
【０１１４】
ディスクトレイ２２６に保持されたディスク状記録媒体３００が収納ケース２０１に収納された状態においては、図２２に示すように、トレイ用レバー２１２のロック用突部２１８ａがディスクトレイ２２６のタブ２２７に設けられた被ロック用突部２２７ｂに後側から係合されてディスクトレイ２２６がロック位置においてロックされている。
【０１１５】
ロック位置においては、第２の係合突部２１７ｂが付勢バネ２２２の基部２２２ａに接し、第２の突部２１９の一部が押圧用挿通孔２２０ａに挿入されストッパー突部２１９ａが前面部２０７の後面に接している。
【０１１６】
トレイ用レバー２１２は前面部２０７のピン挿入孔２２３及び金属板２２０の押圧用挿通孔２２０ａに順に挿入された後述する操作ピン（２３）によって第２の突部２１９が後方へ押圧されることにより、平面で見て時計回り方向（第１の回動方向）へ回動される。ピン挿入孔２２３は前方へ行くに従って径が大きくなるように形成されているため、操作ピンはピン挿入孔２２３に案内されて確実に収納ケース２０１の内部に挿入される。
【０１１７】
尚、操作ピンによって第２の突部２１９が後方へ押圧されるときには、ディスクカートリッジ２００が後述するカートリッジ保持ブロックに保持されており、開閉蓋２０３が回動されて本体２０２の開口部２０２ａが開放されている。
【０１１８】
操作ピンによって第２の突部２１９が後方へ押圧されると、トレイ用レバー２１２は第１の回動方向へ回動されタブ２１７に対するロック用突部２１８ａのロックが解除される（図２３参照）。このとき第２の係合突部２１７ｂが付勢バネ２２２の基部２２２ａから第１の傾斜部２２２ｂに摺接され、付勢バネ２２２が付勢力に抗して前方へ変位される。
【０１１９】
さらに操作ピンによって第２の突部２１９が後方へ押圧されると、トレイ用レバー２１２は第１の回動方向へさらに回動され押圧部２１９ｂによってさらにタブ２１７の被押圧部２１７ａが後方へ押圧されていく（図２４参照）。従って、ディスクトレイ２２６、ディスク状記録媒体３００及びカバーシート２２８が一体となって後方へ移動され収納ケース２０１の開口部２０２ａから後方へ突出されていく。このとき第２の係合突部２１７ｂが付勢バネ２２２の第１の傾斜部２２２ｂから第２の傾斜部２２２ｃに摺接され、依然として付勢バネ２２２が付勢力に抗して前方へ変位されている。
【０１２０】
操作ピンによって第２の突部２１９がさらに後方へ押圧されると、トレイ用レバー２１２はさらに第１の回動方向へ回動され押圧部２１９ｂによってタブ２１７の被押圧部２１７ａがさらに後方へ押圧されていく（図２５参照）。従って、ディスクトレイ２２６、ディスク状記録媒体３００及びカバーシート２２８が一体となってさらに後方へ移動され収納ケース２０１の開口部２０２ａからさらに後方へ突出されていく。このとき第２の係合突部２１７ｂが付勢バネ２２２から離隔され第１の係合突部２１７ａが付勢バネ２２２の基部２２２ａに接する。従って、付勢バネ２２２は後方へ変位されて付勢力を生じない元の位置に戻る。
【０１２１】
さらに操作ピンによって第２の突部２１９が後方へ押圧されると、トレイ用レバー２１２は第１の回動方向へさらに回動され押圧部２１９ｂによってさらにタブ２１７の被押圧部２１７ａが後方へ押圧されていく。このとき操作ピンは第２の突部２１９の外周面を摺接され、ストッパー突部２１９ａに接する（図２６参照）。操作ピンがストッパー突部２１９ａに接することにより、それ以上のトレイ用レバー２１２の回動が不能な状態となり、トレイ用レバー２１２が押圧完了位置に保持される。従って、ディスクトレイ２２６、ディスク状記録媒体３００及びカバーシート２２８の後方への移動が停止される。このとき第１の係合突部２１７ａが付勢バネ２２２の基部２２２ａから第１の傾斜部２２２ｂに摺接され、付勢バネ２２２が付勢力に抗して再び前方へ変位される。従って、トレイ用レバー２１２は付勢バネ２２２によって平面で見て反時計回り方向（第２の回動方向）へ付勢される。
【０１２２】
上記したように一部が開口部２０２ａから後方へ突出されたディスクトレイ２２６、ディスク状記録媒体３００及びカバーシート２２８は、後述するディスク搬送機構によって後方へ搬送される。
【０１２３】
ディスクトレイ２２６、ディスク状記録媒体３００及びカバーシート２２８がディスク搬送機構によって後方へ搬送されるときには、操作ピンが前面部２０７のピン挿入孔２２３から前方へ引き出され、トレイ用レバー２１２に対する押圧状態が解除される。
【０１２４】
操作ピンによるトレイ用レバー２１２に対する押圧状態が解除されると、トレイ用レバー２１２は付勢バネ２２２の付勢力によって第２の回動方向へ回動される（図２７参照）。第２の回動方向へ回動されたトレイ用レバー２１２は第１の係合突部２１７ａと第２の係合突部２１７ｂが何れも付勢バネ２２２に接し、回動が停止されて待機位置において保持される。
【０１２５】
後方へ搬送されたディスクトレイ２２６、ディスク状記録媒体３００及びカバーシート２２８は、再びディスク搬送機構によって前方へ搬送される。ディスクトレイ２２６、ディスク状記録媒体３００及びカバーシート２２８が前方へ搬送されて収納ケース２０１の内部に収納されていくと、タブ２２７の被押圧部２２７ａによって待機位置に保持されているトレイ用レバー２１２の押圧部２１９ｂが前方へ押圧され、トレイ用レバー２１２が第２の回動方向へ回動されていく（図２８参照）。このとき第１の係合突部２１７ａが付勢バネ２２２から離隔され第２の係合突部２１７ｂが付勢バネ２２２の第２の傾斜部２２２ｃに摺接される。従って、付勢バネ２２２が付勢力に抗して前方へ変位される。
【０１２６】
さらにタブ２２７の被押圧部２２７ａによってトレイ用レバー２１２の押圧部２１９ｂが前方へ押圧されると、トレイ用レバー２１２がさらに第２の回動方向へ回動されていく（図２９参照）。このとき第２の係合突部２１７ｂが付勢バネ２２２の第２の傾斜部２２２ｃから第１の傾斜部２２２ｂに摺接される。従って、付勢バネ２２２は依然として付勢力に抗して前方へ変位されている。
【０１２７】
タブ２２７の被押圧部２２７ａによってさらにトレイ用レバー２１２の押圧部２１９ｂが前方へ押圧されると、さらにトレイ用レバー２１２が第２の回動方向へ回動されていく。トレイ用レバー２１２が第２の回動方向へ回動されることにより、ロック用突部２１８ａがディスクトレイ２２６のタブ２２７に設けられた被ロック用突部２２７ｂに後側から係合されてディスクトレイ２２６が再びロック位置においてロックされる（図２２参照）。このとき第２の係合突部２１７ｂが付勢バネ２２２の第１の傾斜部２２２ｂから基部２２２ａに摺接される。従って、付勢バネ２２２は付勢力を生じない元の位置に戻る。
【０１２８】
以上に記載した通り、ディスクカートリッジ２００にあっては、ディスクトレイ２２６、２２６、・・・にそれぞれタブ２１７、２１７、・・・を設け、厚み方向において隣り合うディスクトレイ２２６、２２６、・・・のタブ２１７、２１７、・・・の位置を左右方向において異なる位置とし、各トレイ用レバー２１２、２１２、・・・をそれぞれ各タブ２１７、２１７、・・・に近接する位置に配置している。
【０１２９】
従って、厚み方向において隣り合うディスクトレイ２２６、２２６、・・・のタブ２１７、２１７、・・・が厚み方向に存在しないため、トレイ用レバー２１２、２１２、・・・によるディスクトレイ２２６、２２６、・・・の収納ケース２０１からの取出を容易に行うことができると共に多数のディスクトレイ２２６、２２６、・・・及びディスク状記録媒体３００、３００、・・・を収納ケース２０１に収納することができる。
【０１３０】
また、ディスクカートリッジ２００にあっては、ディスクトレイ２２６、２２６、・・・のタブ２２７、２２７、・・・とトレイ用レバー２１２、２１２、・・・を上下左右に並ぶように配置している。
【０１３１】
従って、トレイ用レバー２１２、２１２、・・・によるディスクトレイ２２６、２２６、・・・の収納ケース２０１からの容易な取出性を確保した上でディスクカートリッジ２００の横幅を大きくすることなく多数のディスク状記録媒体３００、３００、・・・を収納ケース２０１に収納することができる。
【０１３２】
さらに、ディスクカートリッジ２００にあっては、各グループＧ１、Ｇ２毎に、ディスクトレイ２２６、２２６、・・・のタブ２２７、２２７、・・・が左右に等間隔のピッチで位置するようにしている。
【０１３３】
従って、トレイ用レバー２１２、２１２、・・・を左右方向において等間隔で配置することができ、スペース効率の向上を図ることができる。
【０１３４】
また、上記したように、ディスクカートリッジ２００にあっては、ディスクトレイ２２６のタブ２２７に被ロック用突部２２７ｂを設け、トレイ用レバー２１２にディスク状記録媒体３００、３００、・・・の収納ケース２０１に対する収納時にディスクトレイ２２６をロックするロック用突部２１８ａを設けている。
【０１３５】
従って、タブ２２７を後方へ押圧してディスクトレイ２２６を収納ケース２０１から突出させる機能を有するトレイ用レバー２１２によってディスクトレイ２２６がロックされるため、ディスクトレイ２２６をロックする専用の部品を別に設ける必要がなく、部品点数の削減を図ることができる。
【０１３６】
また、トレイ用レバー２１２にあっては、第１の回動方向へ回動したときにディスクトレイ２２６のタブ２１７を押圧部２１９ｂによって後方へ押圧し、第２の回動方向へ回動したときにタブ２２７の被ロック用突部２２７ｂにロック用突部２１８ａが係合するようにしている。
【０１３７】
従って、トレイ用レバー２１２の回動方向に応じてディスクトレイ２２６に対する押圧とロックが行われるため、動作が単純であり、機構の簡素化を図ることができる。
【０１３８】
さらに、トレイ用レバー２１２をロック位置と押圧完了位置との間で回動可能とし、トレイ用レバー２１２がロック位置へ向けて回動されるときにトレイ用レバー２１２に対して第２の回動方向への付勢力を付与する付勢バネ２２２を設けている。
【０１３９】
従って、付勢バネ２２の付勢力によってディスクトレイ２２６をトレイ用レバー２１２でロック位置において確実にロックすることができる。
【０１４０】
さらにまた、トレイ用レバー２１２において、ディスクトレイ２２６が前方へ移動され収納ケース２０１に収納されるときにタブ２２７が押圧部２１９ｂに接触可能な状態でトレイ用レバー２２６が待ち受ける待機位置を形成し、付勢バネ２２２によってディスクトレイ２２６が待機位置に保持されるようにしている。
【０１４１】
従って、付勢バネ２２２がディスクトレイ２２６をロック位置において確実にロックする機能と、ディスクトレイ２２６を待機位置に保持する機能とを有するため、付勢バネ２２２が多機能であり、機構の簡素化及び部品点数の削減を図ることができる。
【０１４２】
加えて、ディスクカートリッジ２００にあっては、収納ケース２０１に、複数のトレイ用レバー２１２、２１２、・・・に対応する複数のピン挿入孔２２３、２２３、・・・を形成し、操作ピンをピン挿入孔２２３、２２３、・・・から挿入してトレイ用レバー２１２、２１２、・・・を押圧して回動させるようにしている。
【０１４３】
従って、ピン挿入孔２２３、２２３、・・・がディスクトレイ２１２、２１２、・・・を押圧するための案内として機能し、操作ピンによってトレイ用レバー２１２、２１２、・・・の最適位置を押圧することができる。
【０１４４】
さらにまた、トレイ用レバー２１２の押圧部２１９ｂの厚みがディスクトレイ２２６のタブ２２７の厚みより厚くされているため、該タブ２２７を確実に押圧することができる。また、トレイ用レバー２１２のディスクトレイ２２６に対する高い位置精度が不要となり、製造コストの低減を図ることができる。さらに、トレイ用レバー２１２を操作ピン２３Ａ、２３Ｂによって確実に押圧することができる。加えて、操作ピン２３Ａ、２３Ｂのトレイ用レバー２１２に対する高い位置精度が不要となり、製造コストの低減を図ることができる。
【０１４５】
尚、トレイ用レバー２１２の押圧部２１９ｂの厚みをディスクトレイ２２６のタブ２２７の厚みより厚くすることは、シート状に形成された撓みが生じ易いディスクトレイ２２６を用いたときには、動作の信頼性の観点から特に有効である。
【０１４６】
また、トレイ用レバー２１２の押圧部２１９ｂの厚みをディスクトレイ２２６のタブ２２７の厚みより厚くすることにより、ピン挿入孔２２３、２２３、・・・から挿入された押圧ピンによってトレイ用レバー２１２、２１２、・・・を確実に押圧することができる。
【０１４７】
＜ディスクチェンジャーの内部構成の概略＞
次に、ディスクチェンジャー１の内部構成を概略的に説明する（図３０参照）。
【０１４８】
外筐２の内部には、例えば、導電性金属材料から成り上下方向を向き縦長に形成されたベースシャーシ１０００が配置されている。ベースシャーシ１０００には、ディスク選択ブロック２０００、カートリッジ保持ブロック３０００及びディスクドライブブロック４０００が配置されている。ディスク選択ブロック２０００はベースシャーシ１０００の前端部と右端部における前側の部分に設けられ、カートリッジ保持ブロック３０００及びディスクドライブブロック４０００はベースシャーシ１０００の前端部に設けられたディスク選択ブロック２０００の後側において前後に位置されている。ベースシャーシ１０００の右端部における後方側にディスクローディングブロック５０００が配置され、ベースシャーシ１０００の左端部における後方側にディスクイジェクトブロック６０００が配置されている。
【０１４９】
ディスクローディングブロック５０００とディスクイジェクトブロック６０００は、ディスクトレイ２２６及びディスク状記録媒体３００を収納ケース２０１と後述する記録再生位置との間で搬送するディスク搬送ブロックとして機能する。
【０１５０】
＜ベースシャーシ＞
ベースシャーシ１０００には、図３１に示すように、前半部における中央部に上方へ凸の配置用突部１００１が設けられ、該配置用突部１００１には側方に開口された連結用孔１００２が形成されている。
【０１５１】
ベースシャーシ１０００の前半部には、配置用突部１００１の周囲の位置に上方に貫通された四つの配置用凹部１００３、１００３、・・・が設けられている。配置用凹部１００３、１００３、・・・には、それぞれ配置用突部１００１を結ぶ方向に貫通された連結用孔１００４、１００４、・・・が形成されている。
【０１５２】
ベースシャーシ１０００の前後方向における中央部には、上下に貫通されたギヤ配置孔１００５が形成されている。
【０１５３】
ベースシャーシ１０００の後半部には略矩形状の大きな配置孔１００６が形成されている。
【０１５４】
＜選択スライダー＞
ディスク選択ブロック２０００は、二つの選択スライダー７Ａ、７Ｂと左右方向に延びるガイド軸８と同じく左右方向に延びる案内軸９、９とを有している（図３２乃至図３５参照）。
【０１５５】
ガイド軸８及び案内軸９、９は左右両端部がそれぞれベースシャーシ１０００に取り付けられた保持部材１０、１０に取り付けられている（図３４乃至図３６参照）。
【０１５６】
ガイド軸８は案内軸９、９の前方に位置され、案内軸９、９は上下に離隔して位置されている。
【０１５７】
選択スライダー７Ａはガイド軸８に支持されたピン取付部材１１Ａと案内軸９、９に支持されたピン支持部材１２Ａとを有している（図３６参照）。
【０１５８】
ピン取付部材１１Ａはガイド軸８が挿通された軸受部１３Ａと該軸受部１３Ａから略上方へ突出されたピン取付部１４Ａとから成る。ピン取付部１４Ａには被案内孔１５Ａが形成されている。ピン取付部材１１Ａはガイド軸８に対して軸方向へ摺動可能とされると共に軸回り方向へ回動可能とされている。
【０１５９】
ピン支持部材１２Ａは、前後方向を向く板状のベース板部１６Ａと、該ベース板部１６Ａから前方へ突出された案内ピン１７Ａと、ベース板部１６Ａの左右両端部からそれぞれ後方へ突出されそれぞれ案内軸９、９が挿通された軸受部１８Ａ、１８Ａ、１８Ａと、ベース板部１６Ａの上端部に設けられたピン支持部１９Ａと、ベース板部１６Ａの下端部から後方へ突出され左右に延びるラック部２０Ａとから成る。
【０１６０】
ピン支持部１９Ａは前後方向に長い円筒状に形成されている。
【０１６１】
ピン取付部材１１Ａは被案内孔１５Ａにピン支持部材１２Ａの案内ピン１７Ａが挿通されて摺動自在に支持される。
【０１６２】
ピン取付部材１１Ａにおけるピン取付部１４Ａの上端寄りの位置には規制ネジ２１Ａが貫通され、該規制ネジ２１Ａは後端部がピン支持部材１２Ａにおけるベース板部１６Ａの上端寄りの位置に取り付けられている。規制ネジ２１Ａの前端部には外方へ張り出されたフランジ状の規制部２２Ａが設けられ、該規制部２２Ａがピン取付部１４Ａの前面側に位置される。
【０１６３】
ピン取付部材１１Ａの上端部には操作ピン２３Ａの前端部が取り付けられ、該操作ピン２３Ａはピン支持部材１２Ａのピン支持部１９Ａに摺動自在に支持されている。
【０１６４】
操作ピン２３Ａには、ピン支持部１９Ａとピン取付部１４Ａの間の部分に圧縮コイルバネ２４Ａが支持されている。従って、ピン取付部材１１Ａは圧縮コイルバネ２４Ａによってピン取付部１４Ａがピン支持部材１２Ａから離隔する回動方向へ付勢されている。ピン取付部材１１Ａに後方側への力が付与されていない状態においては、ピン取付部１４Ａの前面に規制ネジ２１Ａの規制部２２Ａが接してピン取付部材１１Ａのピン支持部材１２Ａから離隔する方向への回動が規制されている。
【０１６５】
ピン取付部材１１Ａは、後述する作用レバー（２５）に押圧されてガイド軸８に対して圧縮コイルバネ２４Ａの付勢力に抗してピン取付部１４Ａがピン支持部材１２Ａのベース板部１６Ａに近付く方向へ回動される（図３７参照）。ピン取付部材１１Ａがガイド軸８に対して回動されるときには、被案内孔１５Ａがベース板部１６Ａの案内ピン１７Ａに案内される。
【０１６６】
ピン取付部材１１Ａがガイド軸８に対して圧縮コイルバネ２４Ａの付勢力に抗してピン取付部１４Ａがピン支持部材１２Ａのベース板部１６Ａに近付く方向へ回動されると、操作ピン２３Ａが後方へ移動される。後方へ移動された操作ピン２３Ａは先端部がピン支持部材１２Ａのピン支持部１９Ａから後方へ突出され、上記したように、ディスクカートリッジ２００の前面部２０７に形成されたピン挿入孔２２３に挿入される。
【０１６７】
ピン取付部材１１Ａに対する作用レバーによる押圧力が解除されると、圧縮コイルバネ２４Ａの付勢力によりピン取付部材１１Ａのピン取付部１４Ａがベース板部１６Ａから離隔する方向へ回動され元の位置に戻る（図３８参照）。
【０１６８】
選択スライダー７Ｂはガイド軸８に支持されたピン取付部材１１Ｂと案内軸９、９に支持されたピン支持部材１２Ｂとを有している（図３６参照）。ピン取付部材１１Ｂはピン取付部材１１Ａの左方に位置されている。
【０１６９】
ピン取付部材１１Ｂはガイド軸８が挿通された軸受部１３Ｂと該軸受部１３Ｂから略上方へ突出されたピン取付部１４Ｂとから成る。ピン取付部１４Ｂには被案内孔１５Ｂが形成されている。ピン取付部材１１Ｂはガイド軸８に対して軸方向へ摺動可能とされると共に軸回り方向へ回動可能とされている。
【０１７０】
ピン支持部材１２Ｂは、前後方向を向く板状のベース板部１６Ｂと、該ベース板部１６Ｂから前方へ突出された案内ピン１７Ｂと、ベース板部１６Ｂの左右両端部から後方へ突出されそれぞれ上側の案内軸９が挿通された軸受部１８Ｂ、１８Ｂ、１８Ｂと、ベース板部１６Ｂの上端部に設けられたピン支持部１９Ｂと、ベース板部１６Ｂの下端部から後方へ突出され左右に延びるラック部２０Ｂとから成る。
【０１７１】
ベース板部１６Ｂは、図３５に示すように、ベース板部１６Ａの後側に位置され、軸受部１８Ｂ、１８Ｂ、１８Ｂはそれぞれ軸受部１８Ａ、１８Ａ、１８Ａの左側に位置され、ピン支持部１９Ｂはピン支持部１９Ａの左側に位置され、ラック部２０Ｂはラック部２０Ａの上側に位置されている。
【０１７２】
ピン支持部１９Ｂは前後方向に長い円筒状に形成されている（図３６参照）。
【０１７３】
ピン取付部材１１Ｂは被案内孔１５Ｂにピン支持部材１２Ｂの案内ピン１７Ｂが挿通されて摺動自在に支持される。
【０１７４】
ピン取付部材１１Ｂにおけるピン取付部１４Ｂの上端寄りの位置には規制ネジ２１Ｂが貫通され、該規制ネジ２１Ｂは後端部がピン支持部材１２Ｂにおけるベース板部１６Ｂの上端寄りの位置に取り付けられている。規制ネジ２１Ｂの前端部には外方へ張り出されたフランジ状の規制部２２Ｂが設けられ、該規制部２２Ｂがピン取付部１４Ｂの前面側に位置される。
【０１７５】
ピン取付部材１１Ｂの上端部には操作ピン２３Ｂの前端部が取り付けられ、該操作ピン２３Ｂはピン支持部材１２Ｂのピン支持部１９Ｂに摺動自在に支持されている。
【０１７６】
操作ピン２３Ｂには、ピン支持部１９Ｂとピン取付部１４Ｂの間の部分に圧縮コイルバネ２４Ｂが支持されている。従って、ピン取付部材１１Ｂは圧縮コイルバネ２４Ｂによってピン取付部１４Ｂがピン支持部材１２Ｂから離隔する方向へ付勢されている。ピン取付部材１１Ｂに後方側への力が付与されていない状態においては、ピン取付部１４Ｂの前面と規制ネジ２１Ｂの規制部２２Ｂが接してピン取付部材１１Ｂのピン支持部材１２Ｂから離隔する方向への回動が規制されている。
【０１７７】
ピン取付部材１１Ｂは、作用レバーに押圧されてガイド軸８に対して圧縮コイルバネ２４Ｂの付勢力に抗してピン取付部１４Ｂがピン支持部材１２Ｂのベース板部１６Ｂに近付く方向へ回動される（図３７参照）。ピン取付部材１１Ｂがガイド軸８に対して回動されるときには、被案内孔１５Ｂがベース板部１６Ｂの案内ピン１７Ｂに案内される。
【０１７８】
ピン取付部材１１Ｂがガイド軸８に対して圧縮コイルバネ２４Ｂの付勢力に抗してピン取付部１４Ｂがピン支持部材１２Ｂのベース板部１６Ｂに近付く方向へ回動されると、操作ピン２３Ｂが後方へ移動される。後方へ移動された操作ピン２３Ｂは先端部がピン支持部材１２Ｂのピン支持部１９Ｂから後方へ突出され、上記したように、ディスクカートリッジ２００の前面部２０７に形成されたピン挿入孔２２３に挿入される。
【０１７９】
ピン取付部材１１Ｂに対する作用レバーによる押圧力が解除されると、圧縮コイルバネ２４Ｂの付勢力によりピン取付部材１１Ｂのピン取付部１４Ｂがベース板部１６Ｂから離隔する方向へ回動され元の位置に戻る（図３８参照）。
【０１８０】
＜作用レバー＞
ガイド軸８には作用レバー２５が回動自在に支持されている（図３２乃至図３４参照）。作用レバー２５は、左右に長い矩形の平板状に形成された基面部２６と、該基面部２６の左右両端部を除く部分から上方へ突出された作用部２７と、基面部２６の左右両端部からそれぞれ後方へ突出された被支持面部２８、２８と、右側の被支持面部２８に連続された連結部２９とを有している。
【０１８１】
連結部２９は被支持面部２８の右方に位置され、上端部に右方へ突出された連結軸２９ａを有している。
【０１８２】
選択スライダー７Ａ、７Ｂは作用レバー２５が回動されたときに、ピン取付部材１１Ａ、１１Ｂのピン取付部１４Ａ、１４Ｂが作用部２７によって前方から押圧される。
【０１８３】
＜連結レバー＞
連結部２９の連結ピン２９ａは連結レバー３０に回動可能な状態で連結されている（図３２及び図３３参照）。連結レバー３０は前後方向に長く形成され、前端部に連結ピン２９ａが連結されている。連結レバー３０の後端寄りの位置には右方へ突出されたバネ支持ピン３０ａが設けられている。
【０１８４】
＜駆動ギヤ＞
ベースシャーシ１０００の前端側には、その下面側に駆動ギヤ３１が支持されている（図３９及び図４０参照）。駆動ギヤ３１は大径部３１ａと該大径部３１ａの上側に位置する小径部３１ｂとが一体に形成されて成る。大径部３１ａは外周部の各一部がそれぞれベースシャーシ１０００の配置用孔１００４、１００４、・・・から配置用凹部１００３、１００３、・・・に突出された状態で配置され、小径部３１ｂはベースシャーシ１０００の配置用突部１００１の内部に配置されている。
【０１８５】
＜連動ギヤ＞
駆動ギヤ３１の小径部３１ｂにはベースシャーシ１０００の上面側に支持された第１の連動ギヤ３２が噛合されている。
【０１８６】
第１の連動ギヤ３２は、図４１に示すように、平歯ギヤ部３３と該平歯ギヤ部３３の下側に位置された欠歯ギヤ部３４と平歯ギヤ部３３の上側に位置された欠歯ギヤ部３５とが一体に形成されて成る。第１の連動ギヤ３２は平歯ギヤ部３３が駆動ギヤ３１の小径部３１ｂに噛合されている。
【０１８７】
欠歯ギヤ部３４、３５はそれぞれギヤ部３４ａ、３５ａと欠歯部３４ｂ、３５ｂから成る。ギヤ部３４ａ、３５ａはそれぞれ回転角で約１６０°の部分に形成されている。ギヤ部３４ａとギヤ部３５ａは位相が１８０°ずれた位置に形成されている。
【０１８８】
第１の連動ギヤ３２にはベースシャーシ１０００の上面側に支持された第２の連動ギヤ３６Ａ、３６Ｂがそれぞれ噛合可能とされている。第２の連動ギヤ３６Ａ、３６Ｂは回転軸が同軸とされ、第２の連動ギヤ３６Ａが下側に位置され、第２の連動ギヤ３６Ｂが上側に位置されている。
【０１８９】
第２の連動ギヤ３６Ａは下側に位置する大径部３７Ａと上側に位置する小径部３８Ａとが一体に形成されている。小径部３８Ａはギヤ部３９Ａと欠歯部４０Ａから成り、第２の連動ギヤ３６Ａは小径部３８Ａのギヤ部３９Ａが第１の連動ギヤ３２のギヤ部３４ａに噛合可能とされている。
【０１９０】
第２の連動ギヤ３６Ｂは上側に位置する大径部３７Ｂと下側に位置する小径部３８Ｂとが一体に形成されている。小径部３８Ｂはギヤ部３９Ｂと欠歯部４０Ｂから成り、第２の連動ギヤ３６Ｂは小径部３８Ｂのギヤ部３９Ｂが第１の連動ギヤ３２のギヤ部３５ａに噛合可能とされている。
【０１９１】
＜ギヤ群＞
ベースシャーシ１０００の前端寄りの位置にはギヤ群４１が配置されている（図３４、図３５及び図４０参照）。ギヤ群４１は大ギヤ４２Ａ、４２Ａ、・・・、大ギヤ４２Ｂ、４２Ｂ、・・・、小ギヤ４３Ａ、４３Ａ、・・・及び小ギヤ４３Ｂ、４３Ｂ、・・・によって構成されている。大ギヤ４２Ａと大ギヤ４２Ｂは回転軸が同軸とされ、小ギヤ４３Ａと小ギヤ４３Ｂは回転軸が同軸とされている。
【０１９２】
ギヤ群４１は、大ギヤ４２Ａ、４２Ａ、・・・と小ギヤ４３Ａ、４３Ａ、４３Ａが左右方向において交互に噛合されると共に大ギヤ４２Ｂ、４２Ｂ、・・・と小ギヤ４３Ｂ、４３Ｂ、４３Ｂが左右方向において交互に噛合されることにより構成されている。
【０１９３】
ギヤ群４１は、図４０に示すように、最も右側に位置する大ギヤ４２Ａが第２の連動ギヤ３６Ａの大径部３７Ａに噛合され、最も右側に位置する大ギヤ４２Ｂが第２の連動ギヤ３６Ｂの大径部３７Ｂに噛合されている。
【０１９４】
ギヤ群４１は、大ギヤ４２Ａが選択スライダー７Ａにおけるピン支持部材１２Ａのラック部２０Ａに噛合され、大ギヤ４２Ｂが選択スライダー７Ｂにおけるピン支持部材１２Ｂのラック部２０Ｂに噛合される。ラック部２０Ａ、２０Ｂは左右方向における長さが、それぞれ左右方向における両端部が、隣り合う大ギヤ４２Ａ、４２Ａ又は隣り合う大ギヤ４２Ｂ、４２Ｂに同時に噛合される長さとされている。
【０１９５】
後述する昇降モーターの駆動力が、順に、駆動ギヤ３１、第１の連動ギヤ３２及び第２の連動ギヤ３６Ａに伝達されると、大ギヤ４２Ａ、４２Ａ、・・・及び小ギヤ４３Ａ、４３Ａ、・・・が昇降モーターの回転方向に応じた方向へ回転される。従って、選択スライダー７Ａのラック部２０Ａが順に大ギヤ４２Ａ、４２Ａ、・・・に噛合され、選択スライダー７Ａがガイド軸８及び案内軸９、９に案内されて左右方向へ移動される。
【０１９６】
また、昇降モーターの駆動力が、順に、駆動ギヤ３１、第１の連動ギヤ３２及び第２の連動ギヤ３６Ｂに伝達されると、大ギヤ４２Ｂ、４２Ｂ、・・・及び小ギヤ４３Ｂ、４３Ｂ、・・・が昇降モーターの回転方向に応じた方向へ回転される。従って、選択スライダー７Ｂのラック部２０Ｂが順に大ギヤ４２Ｂ、４２Ｂ、・・・に噛合され、選択スライダー７Ｂがガイド軸８及び案内軸９、９に案内されて左右方向へ移動される。
【０１９７】
上記したように、第１の連動ギヤ３２は二つの欠歯ギヤ部３４、３５を有しており、欠歯ギヤ部３４のギヤ部３４ａが第２の連動ギヤ３６Ａの小径部３８Ａのギヤ部３９Ａに噛合されたときに、第２の連動ギヤ３６Ａが回転される。また、欠歯ギヤ部３５のギヤ部３５ａが第２の連動ギヤ３６Ｂの小径部３８Ｂのギヤ部３９Ｂに噛合されたときに、第２の連動ギヤ３６Ｂが回転される。
【０１９８】
ギヤ部３４ａ、３５ａは、上記したように、位相が１８０°ずれた位置に形成されているため、駆動ギヤ３１が回転されたときに、何れか一方のギヤ部３４ａ、３５ａが第２の連動ギヤ３６Ａのギヤ部３９Ａ又は第２の連動ギヤ３６Ｂのギヤ部３９Ｂに噛合される。従って、選択スライダー７Ａと選択スライダー７Ｂは同時には移動されず、何れか一方が選択的に左右方向へ移動される。
【０１９９】
＜カートリッジホルダー＞
カートリッジ保持ブロック３０００はカートリッジホルダー４４を有している（図３９参照）。
【０２００】
カートリッジホルダー４４は、図３９及び図４２に示すように、上下方向を向く被支持板４５と該被支持板４５に取り付けられた保持部材４６によって構成されている。保持部材４６は、上板部４６ａと該上板部４６ａの左右両端部からそれぞれ下方へ突出された側板部４６ｂ、４６ｂと該側板部４６ｂ、４６ｂの下縁からそれぞれ側方へ突出された被取付板部４６ｃ、４６ｃとを有している。保持部材４６は被取付板部４６ｃ、４６ｃが被支持板４５の左右両端部の上面に取り付けられている。
【０２０１】
被支持板４５の左右両端部には、それぞれ前後に離隔して螺孔４５ａ、４５ａ、・・・が形成されている（図４２参照）。
【０２０２】
＜昇降モーター＞
ベースシャーシ１０００の右端部には昇降モーター４７が配置されている（図３９及び図４０参照）。
【０２０３】
外筐２の底面にはプーリーギヤ４８と連結ギヤ４９が支持され、プーリーギヤ４８と連結ギヤ４９はベースシャーシ１０００のギヤ配置孔１００５に配置されている。プーリーギヤ４８はベルト巻回部４８ａとギヤ部４８ｂから成る。連結ギヤ４９は大径部４９ａと小径部４９ｂから成る。
【０２０４】
プリーギヤ４８のベルト巻回部４８ａと昇降モーター４７の間にはベルト５０が巻回されている。
【０２０５】
連結ギヤ４９は、大径部４９ａがプーリーギヤ４８のギヤ部４８ｂに噛合され、小径部４９ｂが駆動ギヤ３１の大径部３１ａに噛合されている。
【０２０６】
従って、昇降モーター４７が回転されると、該昇降モーター４７の駆動力がベルト５０、プーリーギヤ４８及び連結ギヤ４９を介して駆動ギヤ３１に伝達され、該駆動ギヤ３１が昇降モーター４７の回転方向に応じた方向へ回転される。
【０２０７】
＜昇降用ギヤ＞
ベースシャーシ１０００の配置用凹部１００３、１００３、・・・にはそれぞれ昇降用ギヤ５１、５１、・・・が支持され、該昇降用ギヤ５１、５１、・・・は駆動ギヤ３１の大径部３１ａに噛合されている。
【０２０８】
昇降用ギヤ５１、５１、・・・の中心部にはそれぞれ送りネジ５２、５２、・・・が取り付けられている。送りネジ５２は昇降用ギヤ５１から上方へ突出され、下端部を除く部分に螺溝５２ａが形成されている。
【０２０９】
右側かつ後側に位置する送りネジ５２の下端部には、側方へ突出されたスイッチ操作突部５２ｂが設けられている。
【０２１０】
送りネジ５２、５２、・・の螺溝５２ａ、５２ａ、・・・は、それぞれカートリッジホルダー４４の被支持板４５に形成された螺孔４５ａ、４５ａ、・・・に螺合されている。従って、駆動ギヤ３１の回転による昇降用ギヤ５１、５１、・・・の回転に伴って送りネジ５２、５２、・・・が回転されると、該送りネジ５２、５２、・・・の回転方向に応じて螺孔４５ａ、４５ａ、・・・が送られてカートリッジホルダー４４が昇降される。
【０２１１】
＜昇降位置検出スイッチ＞
ベースシャーシ１０００の右端部には、スイッチ操作突部５２ｂが設けられた送りネジ５２の近傍に昇降位置検出スイッチ５００が配置されている。昇降位置検出スイッチ５００は送りネジ５２のスイッチ操作突部５２ｂが１回転される毎に該スイッチ操作突部５２ｂによって操作され、カートリッジホルダー４４の昇降位置を検出する。カートリッジホルダー４４の昇降位置が検出されることにより、カートリッジホルダー４４に保持されたディスクカートリッジ２００に形成されたピン挿入孔２２３、２２３、・・・の上下方向における位置が判断される。
【０２１２】
上記したように、昇降モーター４７の回転により駆動ギヤ３１が回転されると、選択スライダー７Ａ、７Ｂが左右方向へ移動されると共にカートリッジホルダー４４が昇降される。
【０２１３】
従って、ディスクチェンジャー１にあっては、カートリッジホルダー４４の昇降と選択スライダー７Ａ、７Ｂの左右方向における移動とが同一の昇降モーター４７によって行われるため、部品点数の削減を図ることができる。
【０２１４】
上記のように、ディスクチェンジャー１にあっては、カートリッジホルダー４４の昇降と選択スライダー７Ａ、７Ｂの左右方向における移動とが同一の昇降モーター４７によって連動して行われるようにされている。このとき、単位時間当たりのカートリッジホルダー４４の昇降量（上下方向における移動量）と選択スライダー７Ａ、７Ｂの左右方向における移動量との比が、以下のように、前面部２０７に形成されたピン挿入孔２２３、２２３、・・・の上下方向におけるピッチと左右方向におけるピッチとの比と同じにされている。尚、ピン挿入孔２２３、２２３、・・・の中心の位置はディスクトレイ２２６、２２６、・・・を選択して収納ケース２０１から取り出すための選択位置とされている。
【０２１５】
ピン挿入孔２２３、２２３、・・・の上下方向におけるピッチが、上記したように、例えば、０．５ｍｍであり、左右方向におけるピッチが１２ｍｍであるとすると、両者の比は１：２４である。従って、単位時間当たりのカートリッジホルダー４４の上下方向における移動量と選択スライダー７Ａ、７Ｂの左右方向における移動量との比も、１：２４となるように設定されている。例えば、カートリッジホルダー４４が０．５ｍｍ昇降すると、同じ時間で選択スライダー７Ａ、７Ｂが１２ｍｍ左右方向へ移動される。
【０２１６】
このように単位時間におけるカートリッジホルダー４４と選択スライダー７Ａ、７Ｂの移動量の比と、選択位置の上下と左右のピッチの比とを同じにすることにより、ディスクカートリッジ２００が保持されたカートリッジホルダー４４の昇降時に、ピン挿入孔２２３、２２３、・・・と選択スライダー７の操作ピン２３との位置が常に前後方向において一致される。
【０２１７】
従って、選択スライダー７Ａ、７Ｂの操作ピン２３、２３を常に選択位置に合わせる動作を容易に行うことができる。
【０２１８】
また、選択位置が厚み方向に所定のピッチずつ存在しないため、選択位置の位置決めのための精度を高精度とする必要がなく、選択の容易化を図ることができる。
【０２１９】
また、ディスクチェンジャー１にあっては、上側に位置する１０枚のディスクトレイ２２６、２２６、・・・を第１のグループＧ１とし、下側に位置する１０枚のディスクトレイ２２６、２２６、・・・を第２のグループＧ２とし、グループＧ１、Ｇ２のディスクトレイ２２６、２２６、・・・をそれぞれ選択スライダー７Ａと選択スライダー７Ｂによって選択し、一方の選択スライダー７の動作時には他方の選択スライダー７の動作が停止するようにされている。
【０２２０】
従って、選択スライダー７Ａ、７Ｂによるディスクトレイ２２６、２２６、・・・に対する選択動作の効率化を図ることができる。
【０２２１】
尚、上記には、二つのグループＧ１、Ｇ２と二つの選択スライダー７Ａ、７Ｂを設けた例を示したが、設定するグループの数は任意であり、設定したグループの数と同数の選択スライダーを設けることにより、グループの数に拘わらず選択動作の効率化を図ることができる。
【０２２２】
さらに、選択スライダー７Ａ、７Ｂは共通のガイド軸８に案内されて移動されるため、部品点数の削減を図ることができる。
【０２２３】
加えて、ディスクチェンジャー１にあっては、互いに噛合された複数の大ギヤ４２Ａ、４２Ａ、・・・、小ギヤ４３Ａ、４３Ａ、・・・、、大ギヤ４２Ｂ、４２Ｂ、・・・及び小ギヤ４３Ｂ、４３Ｂ、・・・が左右に配列されて成るギヤ群４１を設け、選択スライダー７Ａ、７Ｂのラック部２０Ａ、２０Ｂがギヤ群４１の大ギヤ４２Ａ、４２Ａ又は大ギヤ４２Ｂ、４２Ｂに順に噛合されて移動されるようにしている。
【０２２４】
従って、選択スライダー７Ａ、７Ｂのラック部２０Ａ、２０Ｂの左右方向における長さが短くて済み、ディスクチェンジャー１の小型化を図ることができる。
【０２２５】
＜支持プレート＞
ディスクローディングブロック５０００はベースシャーシ１０００の後半部における右端部に取り付けられた支持プレート５３に所要の各部が支持されて成る（図３２及び図３３参照）。支持プレート５３は、例えば、導電性金属材料によって形成されている。
【０２２６】
支持プレート５３には、図４３に示すように、前後に離隔しそれぞれ右方へ突出されたバネ掛けピン５３ａとバネ支持ピン５３ｂが設けられている。支持プレート５３のバネ掛けピン５３ａとバネ支持ピン５３ｂの間には、前後に延びるピン支持孔５３ｃと円形のギヤ挿入孔５３ｄが形成されている。支持プレート５３にはギヤ挿入孔５３ｄの右方にギヤ支持片５３ｅが設けられている。支持プレート５３の後端寄りの位置には上下に延びる軸案内孔５３ｆが形成されている。支持プレート５３の上端部には上下方向を向く取付面部５３ｇが設けられている。
【０２２７】
支持プレート５３の前端部には上記した連結レバー３０が前後方向へ移動自在に支持されている。
【０２２８】
＜作動レバー＞
連結レバー３０には作動レバー５４Ｒが前後方向へ移動自在、かつ、前端部を支点として回動自在に支持されている。
【０２２９】
作動レバー５４Ｒは支持プレート５３の外面側に位置され、後端寄りの位置に左方へ突出されたカムピン５４ａを有し、後端部に前後に延びる被支持孔５４ｂを有している。
【０２３０】
作動レバー５４Ｒの前端部には上下に延びる被支持軸５４ｃが設けられている。作動レバー５４Ｒは被支持軸５４ｃが連結レバー３０に支持されている。
【０２３１】
作動レバー５４Ｒの被支持軸５４ｃと連結レバー３０のバネ支持ピン３０ａとの間にはリミッターバネ５５が支持されている。リミッターバネ５５は、例えば、引張コイルバネであり、リミッターバネ５５によって作動レバー５４Ｒと連結レバー３０に付与される不必要な負荷が軽減され、両者の動作の円滑化が図られている。
【０２３２】
作動レバー５４Ｒと支持プレート５３のバネ掛けピン５３ａとの間には引張コイルバネ５６が支持されている。従って、作動レバー５４Ｒは支持プレート５３に対して前方へ付勢される。引張コイルバネ５６はカムピン５４ａを常に後述するカムギヤのカム突部の外周面に押し付ける機能を有する。
【０２３３】
作動レバー５４Ｒは、被支持孔５４ｂに支持プレート５３のバネ支持ピン５３ｂが挿入され、この状態でバネ支持ピン５３ｂに圧縮コイルバネである規制バネ５７が支持される。規制バネ５７は作動レバー５４Ｒの被支持軸５４ｃを支点とした支持プレート５３から離隔する方向への一定以上の回動量を規制する機能を有する。
【０２３４】
作動レバー５４Ｒはカムピン５４ａが支持プレート５３のピン支持孔５３ｃに挿入されている。
【０２３５】
＜ローディングモーター＞
支持プレート５３の後端部にはローディングモーター５８が取り付けられている（図４４参照）。
【０２３６】
支持プレート５３の外面にはギヤプーリー５９が支持され、該ギヤプーリー５９はプーリー部５９ａとギヤ部５９ｂから成る。ギヤプーリー５９のプーリー部５９ａとローディングモーター５８の間には伝達ベルト６０が巻回されている。
【０２３７】
支持プレート５３のギヤ支持片５３ｅには中間ギヤ６１が支持され、該中間ギヤ６１は大径部６１ａと小径部６１ｂから成る。中間ギヤ６１は大径部６１ａがギヤプーリー５９のギヤ部５９ｂに噛合され、支持プレート５３のギヤ挿入孔５３ｄに挿入されて配置される。
【０２３８】
＜カムギヤ＞
支持プレート５３の内面にはカムギヤ６２Ｒが支持されている。カムギヤ６２Ｒは円板状のギヤ部６３と該ギヤ部６３の右側面から右方へ突出されたカム突部６４とから成る。カム突部６４には回転軸を基準として対称な位置に形成されたカム溝６４ａ、６４ａが形成されている。カム溝６４ａ、６４ａはそれぞれ一端がギヤ部６２の右側面に連続され、他端に行くに従って右方へ変位する傾斜面にされ、カムギヤ６２Ｒの回転中心を基準とした円弧状に形成されている。
【０２３９】
カムギヤ６２Ｒは、ギヤ部６３が中間ギヤ６１の小径部６１ｂに噛合され、カム部６４に作動レバー５４Ｒのカムピン５４ａが摺動自在に係合される。
【０２４０】
＜送りローラー＞
支持プレート５３の内面には前後に離隔して四つの送りローラー６５、６５、・・・が前後に離隔して支持されている。送りローラー６５には軸方向に離隔してギヤ部６５ａとローラー部６５ｂが設けられている。前から二番目と三番目の送りローラー６５、６５は、ギヤ部６５ａ、６５ａがカムギヤ６２Ｒの前後においてギヤ部６３に噛合されている。
【０２４１】
＜連結ギヤ＞
支持プレート５３の内面には前後に離隔して連結ギヤ６６、６６が支持されている。連結ギヤ６６は大径部６６ａと小径部６６ｂから成る。連結ギヤ６６、６６はそれぞれ前側の二つの送りローラー６５、６５と後側の二つの送りローラー６５、６５の間に配置され、大径部６６ａ、６６ａがそれぞれ二つずつの送りローラー６５、６５、・・・のギヤ部６５ａ、６５ａ、・・・に噛合されている。
【０２４２】
＜搬送ユニット＞
支持プレート５３の内面には前後に離隔して搬送ユニット６７、６７が回転自在に支持されている。
【０２４３】
搬送ユニット６７は、図４５及び図４６に示すように、一対の支持金具６８、６８と該支持金具６８、６８にそれぞれ支持された送りローラー６９、６９と支持金具６８、６８に支持された大ギヤ７０及び小ギヤ７１と押付用バネ７２とから成る。
【０２４４】
支持金具６８は、略上下方向を向くベース部６８ａと、該ベース部６８ａの一端部における左右両側縁からそれぞれ略下方へ突出されたギヤ支持片６８ｂ、６８ｂと、一方のギヤ支持片６８ｂの下縁から右方へ突出されたバネ掛け片６８ｃと、ベース部６８ａの他端部における左右両側縁からそれぞれ略下方へ突出された支持アーム６８ｄ、６８ｄとから成る。
【０２４５】
送りローラー６９には軸方向に離隔してギヤ部６９ａとローラー部６９ｂが設けられている。送りローラー６９はギヤ支持片６８ｂ、６８ｂに回転自在に支持されている。
【０２４６】
大ギヤ７０は平ギヤであり、中心部に軸挿通孔７０ａを有している。
【０２４７】
小ギヤ７１はギヤ部７１ａと該ギヤ部７１ａの中心部から左方へ突出された軸部７１ｂと該軸部７１ｂの先端から左方へ突出され軸部７１ｂより径の小さい回転軸部７１ｃとから成る。
【０２４８】
小ギヤ７１は回転軸部７１ｃが大ギヤ７０の軸挿通孔７０ａに右方から挿入されて固定される。
【０２４９】
支持金具６８、６８は二つずつのギヤ支持片６８ｂ、６８ｂ、・・・が左右方向において重ねられた状態とされ、この状態で小ギヤ７１の回転軸部７１ｃが支持金具６８、６８に回転自在に支持される。小ギヤ７１と大ギヤ７０の間には軸部７１ｂが位置された分の一定の間隔が保持される。
【０２５０】
送りローラー６９、６９のギヤ部６９ａ、６９ａはそれぞれ大ギヤ７０に噛合される。小ギヤ７１は大ギヤ７０と一体になって支持金具６８、６８に対して回転され、小ギヤ７１と大ギヤ７０の回転に伴って送りローラー６９、６９が回転される。
【０２５１】
押付用バネ７２は支持金具６８、６８のバネ掛け片６８ｃ、６８ｃ間に支持される。従って、支持金具６８、６８は、小ギヤ７１の回転軸部７１ｃを支点として送りローラー６９、６９が略下方へ移動する回動方向へ押付用バネ７２によって付勢される。
【０２５２】
搬送ユニット６７、６７は小ギヤ７１、７１の中心軸がそれぞれ支持プレート５３に回転自在に支持される。
【０２５３】
搬送ユニット６７が支持プレート５３に支持された状態において、大ギヤ７０と小ギヤ７１のギヤ部７１ａとの間に連結ギヤ６６の大径部６６ａが挿入され、連結ギヤ６６の小径部６６ｂが小ギヤ７１のギヤ部７１ａに噛合される。このとき送りローラー６９のギヤ部６９ａは、送りローラー６５のギヤ部６５ａとローラー部６５ｂの間に送りローラー６９に接触しない状態で挿入され、送りローラー６９のローラー部６９ｂが押付用バネ７２の付勢力によって送りローラー６５のローラー部６５ｂに押し付けられる。
【０２５４】
上記のように構成されたディスクローディングブロック５０００において、ローディングモーター５８が回転されると、該ローディングモーター５８の駆動力が順に伝達ベルト６０、ギヤプーリー５９、中間ギヤ６１、カムギヤ６２Ｒ、該カムギヤ６２Ｒに噛合されたギヤ部６５ａ、６５ａを有する送りローラー６５、６５、連結ギヤ６６、６６及び前後両端側に位置する送りローラー６５、６５に伝達されて回転される。
【０２５５】
このとき連結ギヤ６６、６６から小ギヤ７１、７１、大ギヤ７０、７０及びギヤ部６９ａ、６９ａに順に駆動力が伝達され送りローラー６９、６９が回転される。送りローラー６５、６５、・・・のローラー部６５ｂ、６５ｂ、・・・と送りローラー６９、６９、・・・のローラー部６９ｂ、６９ｂ、・・・とは接触した状態で回転される。
【０２５６】
送りローラー６５、６５、・・・、６９、６９、・・・の一方の方向（正転方向）への回転は収納ケース２０１からディスクトレイ２２６及びディスク状記録媒体３００を取り出す方向への回転であり、送りローラー６５、６５、・・・、６９、６９、・・・の他方の方向（反転方向）への回転は収納ケース２０１にディスクトレイ２２６及びディスク状記録媒体３００を収納する方向への回転である。
【０２５７】
送りローラー６５、６５、・・・、６９、６９、・・・が正転方向へ回転されたときには、作動レバー５４Ｒのカムピン５４ａはカムギヤ６２Ｒのカム突部６４の外周面に押し付けられて摺動される。従って、作動レバー５４Ｒは前後方向へ移動され、該作動レバー５４Ｒの移動に伴って連結レバー３０が前後方向へ移動されて作用レバー２５がガイド軸８を支点として回動される。
【０２５８】
正転方向への回転時に、カムギヤ６２Ｒの回転により作動レバー５４Ｒが後方の移動端まで移動された状態においては、図４７に示すように、作用レバー２５によって選択スライダー７のピン取付部材１１が後方へ押圧されて操作ピン２３がディスクカートリッジ２００の前面部２０７に形成されたピン挿入孔２２３に挿入されディスクトレイ２２６のタブ２２７が操作ピン２３によって押圧される。
【０２５９】
また、正転方向への回転時に、カムギヤ６２Ｒの回転により作動レバー５４Ｒが前方の移動端まで移動された状態においては、図４８に示すように、作用レバー２５による選択スライダー７のピン取付部材１１に対する押圧が解除されて操作ピン２３が前面部２０７のピン挿入孔２２３から引き出される。
【０２６０】
送りローラー６５、６５、・・・、６９、６９、・・・が反転方向へ回転されたときには、作動レバー５４Ｒのカムピン５４ａはカムギヤ６２Ｒのカム溝６４ａ、６４ａへの挿入を繰り返しながら摺動される。従って、作動レバー５４Ｒは前後方向へは移動されず、カムピン５４ａの傾斜されたカム溝６４ａ、６４ａに対する摺動に伴って被支持軸５４ｃを支点として略左右方向へ移動するように回動される（図４９参照）。このときカムピン５４ａの先端面が規制バネ５７の付勢力によってカム溝６４ａ、６４ａに押し付けられる。
【０２６１】
従って、送りローラー６５、６５、・・・、６９、６９、・・・が反転方向へ回転されたときには、連結レバー３０及び作用レバー２５は動作されない。
【０２６２】
＜支持プレート＞
ディスクイジェクトブロック６０００はベースシャーシ１０００の後半部における左端部に取り付けられた支持プレート７３に所要の各部が支持されて成る（図３２及び図３３参照）。支持プレート７３は、例えば、導電性金属材料によって形成されている。
【０２６３】
支持プレート７３には、図５０に示すように、前後に離隔しそれぞれ左方へ突出されたバネ掛けピン７３ａとバネ支持ピン７３ｂが設けられている。支持プレート７３のバネ掛けピン７３ａとバネ支持ピン７３ｂの間には、前後に延びるピン支持孔７３ｃが形成されている。支持プレート７３の前端部には前後に延びるレバー挿通孔７３ｄが形成されている。支持プレート７３には前後に離隔して上下に延びる軸案内孔７３ｅ、７３ｅが形成されている。支持プレート７３の上端部には上下方向を向く取付面部７３ｆが設けられている。
【０２６４】
＜連結スライダー＞
支持プレート７３の前端部には連結スライダー７４が前後方向へ移動自在に支持されている。連結スライダー７４の前端部における下端部にはレバー支持孔７４ａが形成されている。
【０２６５】
＜作動レバー＞
連結スライダー７４には作動レバー５４Ｌが前後方向へ移動自在、かつ、前端部を支点として回動自在に支持されている。
【０２６６】
作動レバー５４Ｌは支持プレート７３の外面側に位置され、後端寄りの位置に右方へ突出されたカムピン５４ａを有し、後端部に前後に延びる被支持孔５４ｂを有している。
【０２６７】
作動レバー５４Ｌの前端部には上下に延びる被支持軸５４ｃが設けられている。作動レバー５４Ｌは被支持軸５４ｃが連結スライダー７４に支持されている。
【０２６８】
作動レバー５４Ｌと支持プレート７３のバネ掛けピン７３ａとの間に引張コイルバネ７５が支持されている。従って、作動レバー５４Ｌは支持プレート７３に対して前方へ付勢される。引張コイルバネ７５はカムピン５４ａを常に後述するカムギヤのカム突部の外周面に押し付ける機能を有する。
【０２６９】
作動レバー５４Ｌは、被支持孔５４ｂに支持プレート７３のバネ支持ピン７３ｂが挿入され、この状態でバネ支持ピン７３ｂに圧縮コイルバネである規制バネ７６が支持されている。規制バネ７６は作動レバー５４Ｌの被支持軸５４ｃを支点とした支持プレート７３から離隔する方向への一定以上の回動量を規制する機能を有する。
【０２７０】
作動レバー５４Ｌはカムピン５４ａが支持プレート７３のピン支持孔７３ｃに挿入されている。
【０２７１】
支持プレート７３の内面にはカムギヤ６２Ｌが支持されている。カムギヤ６２Ｌは上記したカムギヤ６２Ｒと同じ形状及び大きさに形成され、カム突部６４がギヤ部６３の左側面から左方へ突出されている。
【０２７２】
支持プレート７３の内面には、図４４に示すように、前後に離隔して四つの送りローラー６５、６５、・・・と二つの連結ギヤ６６、６６と二つの搬送ユニット６７、６７とが支持されている。
【０２７３】
送りローラー６５、６５、・・・、連結ギヤ６６、６６及び搬送ユニット６７、６７は、それぞれディスクローディングブロック５０００の送りローラー６５、６５、・・・、連結ギヤ６６、６６及び搬送ユニット６７、６７と同じ形状及び大きさに形成されると共に左右対称に配置され、これらの各部材及びカムギヤ６２Ｌとの噛合状態も同じ構成とされているため、説明は省略する。
【０２７４】
ディスクローディングブロック５０００における前側の連結ギヤ６６とディスクイジェクトブロック６０００における前側の連結ギヤ６６とは、同期軸７７によって連結されている（図４４参照）。従って、ディスクイジェクトブロック６０００は、ローディングモーター５８の駆動力がディスクローディングブロック５０００から同期軸７７を介して伝達されて動作される。
【０２７５】
上記したように、ディスクチェンジャー１にあっては、一つのローディングモーター５８によって選択スライダー７Ａ、７Ｂのピン取付部材１１Ａ、１１Ｂを押圧する作用レバー２５と送りローラー６５、６５、・・・、６９、６９、・・・を動作させるようにしている。
【０２７６】
従って、一つのローディングモーター５８によって異なる部品である作用レバー２５と送りローラー６５、６５、・・・、６９、６９、・・・を動作させるため、部品点数の削減及び機構の簡素化を図ることができる。
【０２７７】
また、作用レバー２５と送りローラー６５、６５、・・・、６９、６９、・・・を各別のモーターを用いて動作させる必要がないため、モーターの切替が不要であり、動作の迅速化及び消費電力の低減を図ることができる。
【０２７８】
＜リターンレバー＞
ベースシャーシ１０００の左端部には、カートリッジホルダー４４の直ぐ後側の位置にリターンレバー７８が配置されている（図４０参照）。
【０２７９】
リターンレバー７８はベースシャーシ１０００の上面に取り付けられたレバー支持部材７９に支持されている（図５１及び図５２参照）。
【０２８０】
レバー支持部材７９は、上下方向を向く被取付面部７９ａと、該被取付面部７９ａの前縁から上方へ突出されたバネ取付面部７９ｂ、被取付面部７９ａの前縁から上方へ突出されたレバー取付面部７９ｃと、被取付面部７９ａの後縁から上方へ突出されたバネ支持面部７９ｄと、被取付面部７９ａの上面から上方へ突出された第１の回動軸７９ｅと、被取付面部７９ａの上面から上方へ突出され第１の回動軸７９ｅより後方に位置された第２の回動軸７９ｆとから成る。
【０２８１】
リターンレバー７８は揺動レバー８０と伝達レバー８１によって構成されている。
【０２８２】
揺動レバー８０は第１の回動軸７９ｅに回動自在に支持されている。揺動レバー８０は、上下に延び第１の回動軸７９ｅに支持された被支持筒部８０ａと、該被支持筒部８０ａの下端部から側方へ突出された第１のアーム部８０ｂと、該第１のアーム部８０ｂの先端部から上方へ突出された第２のアーム部８０ｃと、該第２のアーム部８０ｃの上端部から水平方向へ突出された押圧突部８０ｄと、被支持軸部８０ａの下端寄りの位置から第１のアーム部８０ｂに対して反対方向へ突出された被支持腕部８０ｅと、第１のアーム部８０ｂから水平方向へ突出されたバネ掛け突部８０ｆとから成る。
【０２８３】
レバー支持部材７９のバネ支持面部７９ｄと揺動レバー８０のバネ掛け突部８０ｆとの間にはリミットバネ８２が支持されている。リミットバネ８２は、例えば、引張コイルバネであり、揺動レバー８０はリミットバネ８２によって平面で見て反時計回り方向へ付勢される。
【０２８４】
揺動レバー８０は被支持腕部８０ｅが支持プレート７３のレバー挿通孔７３ｄに挿通され連結スライダー７４のレバー支持孔７４ａに挿入されて支持される。従って、揺動レバー８０は連結スライダー７４の前後方向への移動によって第１の回動軸７９ｅを支点として回動される。
【０２８５】
伝達レバー８１は第２の回動軸７９ｆに回動自在に支持されている。伝達レバー８１は、上下に延び第２の回動軸７９ｆに支持された筒部８１ａと、該筒部８１ａの上端部から側方へ突出されたアーム部８１ｂと、該アーム部８１ｂの先端部から上方へ突出された作用突部８１ｃとから成る。伝達レバー８１の筒部８１ａの下端部には側方へ突出された操作突部８１ｄが設けられている。
【０２８６】
伝達レバー８１の作用突部８１ｃの上端部は揺動レバー８０の押圧突部８０ｄより上方に位置されている。
【０２８７】
伝達レバー８１のアーム部８１ｂは揺動レバー８０の第１のアーム部８０ｂより上方に位置されている。
【０２８８】
伝達レバー８１の筒部８１ａには捩じりコイルバネ８３が支持され、該捩じりコイルバネ８３の両端部がそれぞれレバー支持部材７９とアーム部８１ｂに係合されている。従って、伝達レバー８１は捩じりコイルバネ８３によって平面で見て時計回り方向へ付勢される。
【０２８９】
レバー支持部材７９のバネ取付面部７９ｂには上下に長い戻しバネ８４の下端部が取り付けられている。戻しバネ８４としては、例えば、板バネが用いられ、上端部が伝達レバー８１のアーム部８１ｂに接触可能な位置に存在する。戻しバネ８４は捩じりコイルバネ８３の付勢力より強くされている。
【０２９０】
＜トレイ収納検出スイッチ＞
レバー支持部材７９の被取付面部７９ａにはトレイ収納検出スイッチ６００が配置されている。トレイ収納検出スイッチ６００は伝達レバー８１の回動時に、操作突部８１ｄによって操作されディスクトレイ２２６の収納ケース２０１に対する位置検出を行う機能を有する。
【０２９１】
上記したように、ローディングモーター５８が回転されると、ディスクローディングブロック５０００が動作され、同時に、同期軸７７によってローディングモーター５８の駆動力がディスクイジェクトブロック６０００に伝達されて該ディスクイジェクトブロック６０００が動作される。
【０２９２】
即ち、ローディングモーター５８が回転されると、該ローディングモーター５８の駆動力が同期軸７７を介してディスクイジェクトブロック６０００のカムギヤ６２Ｌ、送りローラー６５、６５、・・・、６９、６９、・・・及び連結ギヤ６６、６６に伝達されて回転される。このときディスクローディングブロック５０００のカムギヤ６２Ｒ、送りローラー６５、６５、・・・及び連結ギヤ６６、６６の回転方向と、ディスクイジェクトブロック６０００のカムギヤ６２Ｌ、送りローラー６５、６５、・・・及び連結ギヤ６６、６６の回転方向とはそれぞれ同じ方向とされる。
【０２９３】
従って、送りローラー６５、６５、・・・、６９、６９、・・・が正転方向へ回転されたときにはカムギヤ６２Ｒ、６２Ｌ、全ての送りローラー６５、６５、・・・、６９、６９、・・・及び連結ギヤ６６、６６、・・・はディスク状記録媒体３００をディスクカートリッジ２００から取り出して後方へ送るディスクローディング機構として機能する。また、送りローラー６５、６５、・・・、６９、６９、・・・が反転方向へ回転されたときにはカムギヤ６２Ｒ、６２Ｌ、全ての送りローラー６５、６５、・・・、６９、６９、・・・及び連結ギヤ６６、６６、・・・はディスク状記録媒体３００をディスクカートリッジ２００に収納するように前方へ送るディスクイジェクト機構として機能する。
【０２９４】
ディスクイジェクトブロック６０００において、送りローラー６５、６５、・・・、６９、６９、・・・が反転方向へ回転されたときには、作動レバー５４Ｌのカムピン５４ａはカムギヤ６２Ｌのカム突部６４の外周面に押し付けられて摺動される。従って、作動レバー５４Ｌは前後方向へ移動され、該作動レバー５４Ｌの移動に伴って連結スライダー７４が前後方向へ移動されて揺動レバー８０が揺動される。
【０２９５】
反転方向への回転時に、カムギヤ６２Ｌの回転により作動レバー５４Ｌが後方の移動端まで移動された状態においては、図５３に示すように、揺動レバー８０が回動方向における前方側の移動端まで回動される。
【０２９６】
また、反転方向への回転時に、カムギヤ６２Ｌの回転により作動レバー５４Ｌが前方の移動端まで移動された状態においては、図５４に示すように、揺動レバー８０が回動方向における後方側の移動端まで回動される。
【０２９７】
送りローラー６５、６５、・・・、６９、６９、・・・が正転方向へ回転されたときには、作動レバー５４Ｌのカムピン５４ａはカムギヤ６２Ｌのカム溝６４ａ、６４ａへの挿入を繰り返しながら摺動される。従って、作動レバー５４Ｌは前後方向へは移動されず、カムピン５４ａの傾斜されたカム溝６４ａ、６４ａに対する摺動に伴って被支持軸５４ｃを支点として略左右方向へ移動するように回動される（図５５参照）。このときカムピン５４ａの先端面が規制バネ７６の付勢力によってカム溝６４ａ、６４ａに押し付けられる。
【０２９８】
従って、送りローラー６５、６５、・・・、６９、６９、・・・が正転方向へ回転されたときには、連結スライダー７４及び揺動レバー８０は動作されない。
【０２９９】
上記したように、ディスクチェンジャー１にあっては、一つのローディングモーター５８によって送りローラー６５、６５、・・・、６９、６９、・・・とディスクトレイ２２６を収納ケース２０１に収納するための伝達レバー８０とを動作させるようにしている。
【０３００】
従って、一つのローディングモーター５８によって異なる部品である送りローラー６５、６５、・・・、６９、６９、・・・と伝達レバー８０を動作させるため、部品点数の削減及び機構の簡素化を図ることができる。
【０３０１】
また、送りローラー６５、６５、・・・、６９、６９、・・・と伝達レバー８０を各別のモーターを用いて動作させる必要がないため、モーターの切替が不要であり、動作の迅速化及び消費電力の低減を図ることができる。
【０３０２】
さらに、ローディングモーター５８の回転方向に応じて作用レバー２５と伝達レバー８０の動作が切り替えられるため、動作の迅速化及び消費電力の低減を図ることができる。
【０３０３】
ディスクカートリッジ２００においてディスクトレイ２２６、ディスク状記録媒体３００及びカバーシート２２８が収納ケース２０１に収納された状態にあっては、伝達レバー８１が戻しバネ８４の平面で見て時計回り方向への付勢力及び捩じりコイルバネ８３の反時計回り方向への付勢力によってディスクカートリッジ２００の後面より稍後方の位置（退避位置）に保持されている（図５６及び図５７参照）。
【０３０４】
このとき、作動レバー５４Ｌは前方の移動端に保持されており、揺動レバー８０は回動方向における後方の移動端に保持されている。
【０３０５】
ローディング動作において、タブ２２７が操作ピン２３によって押圧されディスクトレイ２２６の一部がディスク状記録媒体３００及びカバーシート２２８とともに収納ケース２０１の開口部２０２ａから後方へ突出されると、図５８に示すように、ディスクトレイ２２６の左端部によって伝達レバー８１の作用突部８１ｃが押圧され、伝達レバー８１が平面で見て反時計回り方向へ回動されていく。このとき作用突部８１ｃは捩じりコイルバネ８３の付勢力によってディスクトレイ２２６の外周面に摺接され、アーム部８１ｂは戻しバネ８４から後方へ離隔される。
【０３０６】
ディスクトレイ２２６の一部が開口部２０２ａから後方へ突出されると、ローディングモーター５８の駆動力によって回転される送りローラー６５、６５、・・・、６９、６９、・・・によってディスクトレイ２２６が後方へ移動されていく。このとき伝達レバー８１の作用突部８１ｃがディスクトレイ２２６の外周面に摺接され、伝達レバー８１が捩じりコイルバネ８３の付勢力に抗して反時計回り方向へ回動されていく。
【０３０７】
反時計回り方向へ回動された伝達レバー８１は、作用突部８１ｃがディスクトレイ２２６の左側面に摺接されている状態において、一定の回動位置（非作用位置）に保持される（図５９参照）。
【０３０８】
送りローラー６５、６５、・・・、６９、６９、・・・によって後方へ移動されたディスクトレイ２２６は、後述するように、ディスク状記録媒体３００とともに記録再生位置まで搬送される。
【０３０９】
イジェクト動作においては、記録再生位置からディスクトレイ２２６がディスク状記録媒体３００とともに搬送されて前方へ移動され、送りローラー６５、６５、・・・、６９、６９、・・・によってディスクトレイ２２６がディスク状記録媒体３００及びカバーシート２２８とともに収納ケース２０１に収納されていく。
【０３１０】
送りローラー６５、６５、・・・、６９、６９、・・・によるディスクトレイ２２６の搬送が行われているときには、伝達レバー８１は作用突部８１ｃがディスクトレイ２２６の左側面に摺接されているため非作用位置に保持されている。このときイジェクト動作が行われているため、上記したように、作動レバー５４Ｌが前後へ繰り返し移動され、揺動レバー８０が揺動されている。
【０３１１】
上記のように揺動レバー８０はイジェクト動作において揺動されているが、伝達レバー８１が非作用位置に保持されている状態においては、前方側へ回動されたときに第１のアーム部８０ｂが伝達レバー８１のアーム部８１ｂの下側に潜り込み、揺動レバー８０と伝達レバー８１は接触されない（図６０参照）。
【０３１２】
揺動レバー８０は引き続き揺動され、ディスクトレイ２２６は送りローラー６５、６５、・・・、６９、６９、・・・により前方へ搬送され、伝達レバー８１は作用突部８１ｃがディスクトレイ２２６の左側面から後面へ向けて摺接されて非作用位置から時計回り方向へ回動されていく（図６１参照）。
【０３１３】
このときも前方側へ回動されたときに揺動レバー８０は、第１のアーム部８０ｂが伝達レバー８１のアーム部８１ｂの下側に潜り込み、揺動レバー８０と伝達レバー８１は接触されない（図６２参照）。
【０３１４】
揺動レバー８０は引き続き揺動され、ディスクトレイ２２６は送りローラー６５、６５、・・・、６９、６９、・・・によりさらに前方へ搬送され、伝達レバー８１は作用突部８１ｃがディスクトレイ２２６の後面に摺接されてさらに時計回り方向へ回動されていく（図６３参照）。
【０３１５】
送りローラー６５、６５、・・・、６９、６９、・・・による前方への搬送が終了しディスクトレイ２２６が所定の位置まで搬送されると、揺動されている揺動レバー８０の押圧突部８０ｄが時計回り方向へ回動された伝達レバー８１の作用突部８１ｃに接触される（図６４参照）。
【０３１６】
続いて、前方側へ回動された揺動レバー８０の押圧突部８０ｄによって伝達レバー８１の作用突部８１ｃが押圧され、該作用突部８１ｃによってディスクトレイ２２６の左端部における後面が前方へ向けて押圧され、ディスクトレイ２２６がディスク状記録媒体３００及びカバーシート２２８とともに収納ケース２０１に収納される（図６５参照）。このとき揺動レバー８０にはリミットバネ８２による反時計回り方向への付勢力が付与された状態とされており、揺動レバー８０から伝達レバー８１に対して過大な負荷が作用しないようにされている。
【０３１７】
ディスクトレイ２２６等の収納ケース２０１への収納が終了し、揺動レバー８０が反時計回り方向へ回動され押圧突部８０ｄによる伝達レバー８１の作用突部８１ｃに対する押圧が解除されると、伝達レバー８１が戻しバネ８４の付勢力によって僅かに反時計回り方向へ回動されて再び退避位置に保持される（図５６及び図５７参照）。
【０３１８】
上記のように揺動レバー８０の押圧突部８０ｄによって伝達レバー８１の作用突部８１ｃが押圧されディスクトレイ２２６等の収納ケース２０１への収納が行われるときには、伝達レバー８１の操作突部８１ｄによってトレイ収納検出スイッチ６００が操作される（図６４参照）。従って、ディスクトレイ２２６の位置検出が行われ、ディスクトレイ２２６が収納ケース２０１に収納されたことが検出される。逆に、伝達レバー８１が退避位置よりも反時計回り方向へ回動されたときには、伝達レバー８１の操作突部８１ｄによるトレイ収納検出スイッチ６００の操作が解除され、ディスクトレイ２２６が収納ケース２０１に収納されていないことが検出される。
【０３１９】
上記したように、ディスクチェンジャー１にあっては、送りローラー６５、６５、・・・６９、６９、・・・によるディスクトレイ２２６等の搬送動作が終了したときに、揺動レバー８０と伝達レバー８１によって構成されたリターンレバー７８によりディスクトレイ２２６等を収納ケース２０１に収納するようにしている。
【０３２０】
従って、リターンレバー７８によって送りローラー６５、６５、・・・６９、６９、・・・によるディスクトレイ２２６等の搬送動作の補助が行われ、ディスクトレイ２２６、ディスク状記録媒体３００及びカバーシート２２８を収納ケース２０１に確実に収納することができる。
【０３２１】
また、送りローラー６５、６５、・・・６９、６９、・・・によるディスクトレイ２２６等の搬送が終了した後の短時間のみディスクトレイ２２６に対してリターンレバー７８から押圧力が付与されるため、ディスクトレイ２２６に対する負荷を最小限に抑制することができる。
【０３２２】
さらに、ディスクチェンジャー１にあっては、ディスクトレイ２２６等が収納ケース２０１に収納された状態において、伝達レバー８１を戻しバネ８４によってディスクカートリッジ２００から離隔させるようにしている。
【０３２３】
従って、ディスクトレイ２２６等が収納ケース２０１に収納された後のカートリッジホルダー４４の昇降動作時に伝達レバー８１がカートリッジホルダー４４と干渉することがなく、カートリッジホルダー４４の昇降動作の円滑化及びカートリッジホルダー４４と伝達レバー８１の損傷の防止を図ることができる。
【０３２４】
さらに、ディスクチェンジャー１にあっては、伝達レバー８１の回動方向における位置によってディスクトレイ２２６の収納ケース２０１に対する位置を検出するトレイ収納検出スイッチ６００が設けられている。
【０３２５】
従って、ディスクトレイ２２６の位置検出を行うための専用の機構を必要とせず、機構の簡素化及び製造コストの低減を図ることができる。
【０３２６】
＜剥がしレバー＞
ベースシャーシ１０００にはレバー支持部材７９の右方にバネ取付部材８５が取り付けられている（図４０参照）。
【０３２７】
レバー支持部材７９のレバー取付面部７９ｃとバネ取付部材８５にはそれぞれ剥がしレバー８６、８６の下端部が取り付けられている。剥がしレバー８６、８６は略上下に延びる、例えば、板バネであり、導電性金属材料によって形成されている。剥がしレバー８６はディスクトレイ２２６より剛性が低く、カバーシート２２８より剛性が高くされている。従って、剥がしレバー８６は弾力がディスクトレイ２２６の弾力より弱く、カバーシート２２８の弾力より強くされている。
【０３２８】
＜ディスク駆動機構＞
ディスクドライブブロック４０００はベースシャーシ１０００の後半部に形成された配置孔１００６に配置されている（図６６参照）。ディスクドライブブロック４０００はディスク駆動機構８７と一対の昇降用スライダー８８、８８とを備えている。
【０３２９】
ディスク駆動機構８７は、図６６及び図６７に示すように、トラバースシャーシ８９と、該トラバースシャーシ８９にガイド９０、９０を介して前後方向（ディスク状記録媒体３００の半径方向）へ移動自在に支持された光ピックアップ９１と、トラバースシャーシ８９の前端寄りの位置に配置されたスピンドルモーター９２と、該スピンドルモーター９２によって回転されるディスクテーブル９３とを有している。
【０３３０】
ディスクテーブル９３はテーブル部９３ａと該テーブル部９３ａの中心部から上方へ突出されたセンターリング突部９３ｂとを有している。センターリング突部９３ｂにはマグネットが埋め込まれている。センターリング突部９３ｂの中心部には上方に開口された挿入凹部９３ｃが形成されている。
【０３３１】
トラバースシャーシ８９には側方へ突出された４本の被案内軸８９ａ、８９ａ、・・・が設けられている。
【０３３２】
トラバースシャーシ８９の上面には位置決め用リブ９４、９４が左右に離隔して設けられている。位置決め用リブ９４、９４はディスクテーブル９３より後方に位置され、例えば、略三角形状に形成されている。
【０３３３】
トラバースシャーシ８９の上面には上方へ突出された４本の位置決め軸９５、９５、・・・が設けられている。位置決め軸９５、９５、・・・は位置決め用リブ９４、９４の前方に位置され、ディスクテーブル９３の中心を基準として放射方向に同距離の位置に設けられている。
【０３３４】
位置決め軸９５は上端部が他の部分より外径の大きな大径部９５ａとして設けられ、大径部９５ａ以外の部分が小径部９５ｂとして設けられている。
【０３３５】
昇降用スライダー８８、８８はディスク駆動機構８７の左右方向における両側に位置されている。昇降用スライダー８８は左右方向を向き前後に延びる被ガイド孔８８ａ、８８ａ、８８ａと傾斜部を有するカム孔８８ｂ、８８ｂとを有している。
【０３３６】
昇降用スライダー８８の後端部における上面にはラック８８ｃが形成されている。
【０３３７】
昇降用スライダー８８、８８はそれぞれ支持プレート５３、７３の各内面に設けられた図示しないガイドピンが被ガイド孔８８ａ、８８ａ、・・・にそれぞれ摺動自在に係合され、それぞれ支持プレート５３、７３に前後方向へ移動自在に支持される。
【０３３８】
＜チャッキングモーター＞
ベースシャーシ１０００の左端部に取り付けられた支持プレート７３の後端部にはチャッキングモーター９７が取り付けられている（図６６参照）。支持プレート７３の左側面にはプーリーギヤ及び複数の２段ギヤによって構成された減速機構９８が支持されている。減速機構９８には、チャッキングモーター９７とプーリーギヤの間に巻回された駆動ベルト９９を介してチャッキングモーター９７の駆動力が伝達される。
【０３３９】
支持プレート５３、７３の各内面にはそれぞれ第１のギヤ１００、１００と第２のギヤ１０１、１０１が支持されている。第１のギヤ１００と第２のギヤ１０１は上下方向において噛合され、第１のギヤ１００、１００は伝達軸１０２によって連結されている。第２のギヤ１０１、１０１はそれぞれ昇降用スライダー８８のラック８８ｃ、８８ｃに噛合されている。一方の第１のギヤ１００は減速機構９８の２段ギヤと同軸上に連結されている。
【０３４０】
従って、チャッキングモーター９７の駆動力が減速ギヤ９８に伝達されると、第１のギヤ１００、１００及び第２のギヤ１０１、１０１が同期して回転され、ラック８８ｃ、８８ｃがチャッキングモーター９７の回転方向に応じた方向へ送られて昇降用スライダー８８、８８が前後方向へ移動される。
【０３４１】
ベースシャーシ１０００には、ディスク駆動機構８７と昇降用スライダー８８、８８の間にそれぞれ位置決め部材９６、９６が取り付けられている。位置決め部材９６には上下に延びる逃げ用スリット９６ａが形成されている。
【０３４２】
ディスク駆動機構８７は被案内軸８９ａ、８９ａ、・・・がそれぞれ昇降用スライダー８８、８８のカム孔８８ｂ、８８ｂ、・・・に摺動可能に挿入され、さらに３本の被案内軸８９ａ、８９ａ、８９ａがそれぞれ支持プレート５３、７３の軸案内孔５３ｆ、７３ｅ、７３ｅに摺動可能に挿入される。このとき前側の被案内軸８９ａ、８９ａはそれぞれ位置決め部材９６、９６の逃げ用スリット９６ａ、９６ａを挿入される。
【０３４３】
上記のようにチャッキングモーター９７が回転されて昇降用スライダー８８、８８が前後方向へ移動されると、被案内軸８９ａ、８９ａ、・・・が昇降用スライダー８８、８８のカム孔８８ｂ、８８ｂ、・・・及び支持プレート５３、７３の軸案内孔５３ｆ、７３ｅ、７３ｅに案内される。従って、被案内軸８９ａ、８９ａ、・・・のカム孔８８ｂ、８８ｂ、・・・における係合位置に応じてディスク駆動機構８７が上下方向へ移動される。
【０３４４】
＜ディスク保持ユニット＞
ディスク駆動機構８７の上方にはディスク保持ユニット１０３が配置されている。ディスク保持ユニット１０３は支持プレート５３、７３の取付面部５３ｇ、７３ｆに取り付けられてディスク駆動機構８７の上方に位置されている（図３２参照）。
【０３４５】
ディスク保持ユニット１０３は、図６８乃至図７０に示すように、ベース板１０４と保持体１０５と支持リング１０６と支持体１０７とスタビライザー１０８を有している。
【０３４６】
ベース板１０４は、例えば、透明な矩形の樹脂材料によって形成されている。
【０３４７】
保持体１０５は、図６８及び図６９に示すように、横長の矩形の被取付板１０９と該被取付板１０９の上面に取り付けられた取付部材１１０、１１０と被取付板１０９に取り付けられた第１のシートガイド１１１、１１１、・・・と取付部材１１０、１１０にそれぞれ取り付けられた第２のシートガイド１１２、１１２とから成る。保持体１０５は、例えば、導電性金属材料によって形成されている。
【０３４８】
被取付板１０９には中央部に上下に貫通された円形の挿通孔１０９ａが形成されている。
【０３４９】
取付部材１１０、１１０は被取付板１０９に連続し該被取付板１０９からそれぞれ上方へ突出された垂直部１１０ａ、１１０ａと該垂直部１１０ａ、１１０ａの上端部から互いに近付く方向へ突出された水平部１１０ｂ、１１０ｂとから成る。取付部材１１０の水平部１１０ｂと被取付板１０９の間には一定の隙間１１０ｃが形成されている。
【０３５０】
第１のシートガイド１１１、１１１、・・・は左右に離隔して設けられ、前後に長い形状に形成され、少なくとも前側の部分が被取付板１０９から前方へ突出されている。第１のシートガイド１１１は、前端部を除いた部分の上面が被取付板１０９の上面より上方に位置され、前端部が前方へ行くに従って下方へ変位する略円弧状に形成された案内部１１１ａとして設けられている。
【０３５１】
第２のシートガイド１１２、１１２はそれぞれ取付部材１１０、１１０における水平部１１０ｂ、１１０ｂの対向する面に取り付けられている。第２のシートガイド１１２は前後に長い形状に形成され、前端部が案内部１１２ａとして設けられ、該案内部１１２ａの下面が緩やかな円弧状に形成されている。第２のシートガイド１１２における案内部１１２ａの下面は、第１のシートガイド１１１における案内部１１１ａの上面より稍高い位置に形成されている。
【０３５２】
保持体１０５は第１のシートガイド１１１、１１１、・・・の上面と第２のシートガイド１１２、１１２の上面がベース板１０４の下面に接した状態で取り付けられている。
【０３５３】
支持リング１０６は、例えば、導電性金属材料によって形成されている。支持リング１０６はリング部１０６ａと該リング部１０６ａの下縁から内方へ張り出されたフランジ部１０６ｂとリング部１０６ａの外周面に設けられた被取付突部１０６ｃ、１０６ｃとが一体に形成されて成る。被取付突部１０６ｃ、１０６ｃはリング部１０６ａの対向する位置からそれぞれ外方へ突出されている。
【０３５４】
支持体１０７は、図７０に示すように、例えば、導電性金属材料によって形成されたプレート１１３と該プレート１１３の下面に取り付けられた円環状のマグネット１１４とから成る。プレート１１３は円板部１１３ａと該円板部１１３ａの外周寄りの位置から下方へ突出された円環状の保持突部１１３ｂと円板部１１３ａの中心部から下方へ突出された位置決めピン１１３ｃとから成る。
【０３５５】
マグネット１１４は保持突部１１３ｂの内部において円板部１１３ａの下面に取り付けられている。マグネット１１４の中心部には位置決めピン１１３ｃを下方へ突出するための突部挿通孔１１４ａが形成されている。
【０３５６】
スタビライザー１０８は、例えば、導電性金属材料によって形成され、図６８及び図７０に示すように、中心部に設けられたコア部１１５と該コア部１１５の下端部から外方へ張り出された薄い円板状の吸着面部１１６とが一体に形成されて成る。
【０３５７】
コア部１１５の中心部には上下に貫通された突部挿入孔１１５ａが形成されている。コア部１１５の下面は吸着面部１１６の下面より僅かに下方に位置されている。
【０３５８】
吸着面部１１６の内周部には周方向に離隔して複数の空孔１１６ａ、１１６ａ、・・・が形成されている。
【０３５９】
スタビライザー１０８は支持リング１０６を挟んだ状態で支持体１０７にネジ止め等により固定される。スタビライザー１０８が支持体１０７に固定された状態においては、コア部１１５が保持突部１１３ｂの内部に挿入され、コア部１１５の上面がマグネット１１５の下面に接触される（図７０参照）。スタビライザー１０８が支持体１０７に固定された状態においては、スタビライザー１０８のコア部１１５に形成された突部挿入孔１１５ａにマグネット１１４の突部挿通孔１１４ａを挿通されて下方へ突出された支持体１７の位置決めピン１１３ｃが配置される。
【０３６０】
スタビライザー１０８の吸着面部１１６の内周部と支持体１０７の円板部１１３ａの外周部との間には一定の間隔が形成され、この間隔内に支持リング１０６のフランジ部１０６ｂが位置される。
【０３６１】
従って、支持体１０７とスタビライザー１０８は、吸着面部１１６の内周部と円板部１１３ａの外周部との間に形成された間隔分、上下方向へ移動可能とされる。
【０３６２】
ディスク保持ユニット１０３において、スタビライザー１０８にディスクテーブル９３が装着される前の状態においては、プレート１１２における円板部１１２ａの外周部が支持リング１０６のフランジ部１０６ｂと上下方向において接した状態とされている（図７０参照）。
【０３６３】
＜後方への搬送動作＞
以下に、ディスクトレイ２２６及びディスク状記録媒体３００がカバーシート２２８とともにディスクローディングブロック５０００によって後方へ搬送されるときの各部の動作について説明する。
【０３６４】
ディスクチェンジャー１のフロントパネル３に形成された開口３ａからディスクカートリッジ２００が挿入されると、カートリッジ保持ブロック３０００に設けられた図示しない蓋ロック解除機構によって開閉蓋２０３のロックが解除され、開閉蓋２０３が回動されて本体２の開口部２０２ａが開放される。また、このとき図示しないカートリッジロック機構によってカートリッジホルダー４４にディスクカートリッジ２００がロックされる。
【０３６５】
ディスクトレイ２２６のタブ２２７が操作ピン２３に押圧されてディスクトレイ２２６、ディスク状記録媒体３００及びカバーシート２２８が開口部２０２ａから後方へ突出されると、上記したように、送りローラー６５、６５、・・・、６９、６９、・・・によってディスクトレイ２２６等が後方へ搬送されて行く。
【０３６６】
ディスクトレイ２２６、ディスク状記録媒体３００及びカバーシート２２８が後方へ搬送されると、収納ケース２０１の後方に位置されている剥がしレバー８６、８６がそれぞれディスクトレイ２２６の挿入用切欠２２６ｅ、２２６ｅに挿入されて行く（図７１参照）。
【０３６７】
剥がしレバー８６、８６がそれぞれディスクトレイ２２６の挿入用切欠２２６ｅ、２２６ｅに挿入されると、カバーシート２２８が剥がしレバー８６、８６に案内されて後端部が上方へ屈曲されるように変位されディスクトレイ２２６から分離されて行く（図７１及び図７２参照）。このときカバーシート２２８の後端部は剥がしレバー２２８、２２８に案内されてディスク保持ユニット１０３の第１のシートガイド１１１、１１１、・・・と第２のシートガイド１１２、１１２の間に挿入されていく。
【０３６８】
引き続きディスクトレイ２２６等が後方へ搬送されると、剥がしレバー８６、８６がそれぞれディスクトレイ２２６の作用突縁２２６ｇ、２２６ｇに押圧されて弾性変形され、ディスクトレイ２２６の下面側に退避されディスクトレイ２２６の下面に摺接される（図７３参照）。このときカバーシート２２８は第１のシートガイド１１１、１１１、・・・と第２のシートガイド１１２、１１２の間にさらに挿入されていく。
【０３６９】
上記のように、ディスクチェンジャー１にあっては、カバーシート２２８をディスクトレイ２２６から分離する剥がしレバー８６、８６が設けられ、該剥がしレバー８６、８６がディスクトレイ２２６の下面側へ退避される。
【０３７０】
従って、剥がしレバー８６、８６によってディスク状記録媒体３００を傷付けることなくカバーシート２２８をディスクトレイ２２６から剥がして分離することができる。
【０３７１】
また、剥がしレバー８６、８６を設けることにより、カバーシート２２８をディスクトレイ２２６から確実に分離して剥がすことができる。
【０３７２】
さらに、剥がしレバー８６、８６はディスクトレイ２２６等の後方への搬送に伴って弾性変形されディスクトレイ２２６の下面側に退避される。
【０３７３】
従って、カバーシート２２８を剥がすための専用の駆動力と剥がしレバー８６、８６を退避させるための専用の駆動力とが不要であり、機構の簡素化及び製造コストの低減を図ることができる。
【０３７４】
さらに、剥がしレバー８６、８６は導電性材料によって形成されているため、カバーシート２２８及びディスクトレイ２２６に摺接されたときに、カバーシート２２８及びディスクトレイ２２６に帯電している静電気を剥がしレバー８６、８６に導通させることが可能となる。
【０３７５】
従って、カバーシート２２８及びディスクトレイ２２６の帯電を防止することができる。
【０３７６】
さらにディスクトレイ２２６等が後方へ搬送されると、カバーシート２２８は左右両端部がそれぞれディスク保持ユニット１０３における取付部材１１０、１１０と被取付板１０９の間の隙間１１０ｃ、１１０ｃに挿入される。このとき後方へ搬送されたディスクトレイ２２６は左右方向において位置決め部材９６、９６によって案内される（図７４参照）。
【０３７７】
上記のようにディスクトレイ２２６等が後方へ搬送されたときに、該ディスクトレイ２２６の位置決め縁２２６ｄ、２２６ｄがそれぞれディスク駆動機構８７の位置決め用リブ９４、９４に接したところでローディングモーター５８の回転が停止され、ディスク状記録媒体３００の記録再生位置への搬送が終了する（図７４参照）。ディスクトレイ２２６等の搬送が終了した状態においては、カバーシート２２８が第１のシートガイド１１１、１１１、・・・に載置されディスク状記録媒体３００から上方へ離隔した離隔位置に保持される（図７３参照）。
【０３７８】
ディスク状記録媒体３００が記録再生位置に搬送された状態においては、ディスクトレイ２２６の接合部２２６ｈとカバーシート２２８の接合部２２８ｂとは、収納ケース２０１の開口部２０２ａから後方へ突出されず収納ケース２０１の内部に位置されている。従って、ディスクトレイ２２６の左側面が伝達レバー８１の作用突部８１ｃに接しており、伝達レバー８１は非作用位置に保持されている。
【０３７９】
＜ディスク駆動機構の動作＞
ディスクトレイ２２６等の搬送が終了すると、チャッキングモーター９７が回転され、ディスク駆動機構８７が上方へ移動されていく。ディスク駆動機構８７の上方への移動により位置決め軸９５、９５、・・・の大径部９５ａ、９５ａ、・・・がディスク状記録媒体３００の外周縁に摺接し、ディスク状記録媒体３００が位置決めされる（図７５及び図７６参照）。
【０３８０】
このようにディスクチェンジャー１にあっては、ディスク駆動機構８７の上方への移動によってディスク状記録媒体３００の位置決めを行う位置決め軸９５、９５、・・・を設けているため、ディスク駆動機構８７の上昇時に位置決めが行われディスクテーブル９３のセンターリング突部９３ｂをディスク状記録媒体３００の中心孔３００ａに確実に挿入することができる。
【０３８１】
引き続きディスク駆動機構８７が上方へ移動されると、位置決め軸９５、９５、・・・の小径部９５ｂ、９５ｂ、・・・がディスク状記録媒体３００の外周面と離隔した状態で対向して位置されると共にディスクテーブル９３のセンターリング突部９３ｂがディスク状記録媒体３００の中心孔３００ａに下方から挿入される。
【０３８２】
さらにディスク駆動機構８７が上方へ移動され、ディスクテーブル９３のテーブル部９３ａによってディスク状記録媒体３００が持ち上げられると共にセンターリング突部９３ｂがスタビライザー１０８のコア部１１５に形成された突部挿入孔１１５ａに下方から挿入される（図７７参照）。このときディスク状記録媒体１００は位置決め用リブ９４、９４から離隔される。
【０３８３】
センターリング突部９３ｂが突部挿入孔１１５ａに挿入されると、支持体１０７のマグネット１１４にセンターリング突部９３ｂに埋め込まれたマグネットが吸着され、ディスクテーブル９３が支持体１０７に固定される。ディスク状記録媒体３００は内周部がディスクテーブル９３のテーブル部９３ａとスタビライザー１０８のコア部１１５によって挟持されてチャッキングされ、ディスクテーブル９３の回転に伴って回転可能な状態とされる。このときチャッキングモーター９７の回転が停止され、ディスク駆動機構８７の上方への移動が停止される。
【０３８４】
ディスク状記録媒体３００の内周部がテーブル部９３ａとコア部１１５によって挟持されてチャッキングされた状態においては、ディスク状記録媒体３００の外周面が位置決め軸９５、９５、・・・及び位置決め用リブ９４、９４の何れの部分とも接触されていない。このときディスクテーブル９３及びスタビライザー１０８のコア部１１５は、支持体１０７と接触されておらず円滑な回転が可能とされている。また、ディスク状記録媒体３００は剛性の低いシート状に形成されているため、内周部以外の部分が撓んだ状態とされている。
【０３８５】
スピンドルモーター９２によってディスクテーブル９３がスタビライザー１０８と一体となって回転されると、該ディスクテーブル９３とスタビライザー１０８の回転に伴ってディスク状記録媒体３００が回転される。スタビライザー１０８が回転されると、吸着面部１１６に形成された空孔１１６ａ、１１６ａ、・・・から吸着面部１１６の下面側に向かう対流が発生し、撓んでいたディスク状記録媒体３００が吸着面部１１６に吸着された状態で回転される（図７８参照）。このとき吸着面部１１６の下面とディスク状記録媒体３００の上面との間には微少な隙間が生じており、この微少な隙間が生じた状態でディスク状記録媒体３００が回転される。
【０３８６】
ディスク状記録媒体３００が回転されたときには光ピックアップ９１が駆動され、ディスク状記録媒体３００に対する情報信号の記録又は再生が行われる。
【０３８７】
上記のように、ディスクチェンジャー１にあっては、位置決め軸９５、９５、・・・の大径部９５ａ、９５ａ、・・・によるディスク状記録媒体３００の位置決めが行われた後は位置決め軸９５、９５、・・・がディスク状記録媒体３００の外周面から離隔されるため、ディスク状記録媒体３００を円滑に回転させることができる。
【０３８８】
また、ディスク駆動機構８７の上方への移動によって、位置決め軸９５、９５、・・・によるディスク状記録媒体３００に対する位置決めとディスク状記録媒体３００の外周面から位置決め軸９５、９５、・・・が離隔する動作が行われるため、機構及び動作の簡素化を図ることができる。
【０３８９】
上記のように、ディスクチェンジャー１にあっては、カバーシート２２８をディスク状記録媒体３００から離隔する離隔位置へ案内する第１のシートガイド１１１、１１１、・・・及び第２のシートガイド１１２、１１２、・・・を設けている。
【０３９０】
従って、ディスク状記録媒体３００の回転動作を円滑に行うことができる。
【０３９１】
また、第１のシートガイド１１１、１１１、・・・が導電性材料によって形成されているため、第１のシートガイド１１１、１１１、・・・を介してカバーシート２２８に帯電する静電気を放出することが可能となり、カバーシート２２８の帯電を防止することができる。
【０３９２】
ディスク状記録媒体３００に対する情報信号の記録又は再生が終了すると、上記とは逆の動作によってディスク状記録媒体３００が再びディスクトレイ２２６に載置される。
【０３９３】
即ち、ディスクテーブル９３とスタビライザー１０８の回転が停止され、チャッキングモーター９７が上記とは逆方向へ回転されディスク駆動機構８７が下方へ移動されてディスクテーブル９３が支持体１０７から下方へ離隔され、ディスクテーブル９３がディスク状記録媒体３００の中心孔３００ａから下方に離隔されてディスク状記録媒体３００がディスクトレイ２２６に載置される。
【０３９４】
ディスク駆動機構８７が下方へ移動されたときには、プレート１１３における円板部１１３ａの外周部が再び支持リング１０６のフランジ部１０６ｂに接した状態とされる（図７０参照）。
【０３９５】
従って、上記したように、スタビライザー１０８と保持体１０５を導電性材料によって形成することにより、スタビライザー１０８と保持体１０５を介してディスク状記録媒体３００に帯電する静電気を放出することが可能となり、ディスク状記録媒体３００の帯電を防止することができる。
【０３９６】
＜前方への搬送動作＞
ディスク状記録媒体３００がディスクトレイ２２６に載置されると、ローディングモーター５８が上記とは逆方向へ回転され、送りローラー６５、６５、・・・、６９、６９、・・・によってディスクトレイ２２６、ディスク状記録媒体３００及びカバーシート２２８が前方へ向けて搬送される。送りローラー６５、６５、・・・、６９、６９、・・・によるディスクトレイ２２６等の搬送が終了すると、上記したように、リターンレバー７８によってディスクトレイ２２６が前方へ押圧されてディスクトレイ２２６、ディスク状記録媒体３００及びカバーシート２２８が再び収納ケース２０１に収納される。このときディスクトレイ２２６とカバーシート２２８は接合部２２６ｈと接合部２２８ｂが接合されているため、両者に位置ずれが生じることなくカバーシート２２８によってディスク状記録媒体３００が覆われた状態でディスクトレイ２２６等が収納ケース２０１に収納される。
【０３９７】
このように、ディスクトレイ２２６の接合部２２６ｈとカバーシート２２８の接合部２２８ｂとを接合することにより、カバーシート２２８が剥がされた後もディスクトレイ２２６とカバーシート２２８の位置ずれが生じることがないため、両者の適正な位置関係を保持することができると共にカバーシート２２８によってディスク状記録媒体３００を常に適正な位置において覆うことができる。
【０３９８】
また、ディスクトレイ２２６とカバーシート２２８は接合部２２６ｈと接合部２２８ｂが接合されているため、前方へ搬送されるときにディスク状記録媒体３００をディスクトレイ２２６とカバーシート２２８とともに確実に前方へ向けて搬送することができる。
【０３９９】
上記したように、ディスクチェンジャー１にあっては、ディスクトレイ２２６のタブ２２７を押圧して収納ケース２０１から突出させ、送りローラー６５、６５、・・・、６９、６９、・・・によってディスクトレイ２２６等を搬送するようにしている。
【０４００】
従って、収納ケース２０１からディスクトレイ２２６等を突出させると言う簡単な動作に加え、送りローラー６５、６５、・・・、６９、６９、・・・と言う簡素な機構によりディスクトレイ２２６等を搬送しているため、簡素な機構及び動作により確実にディスクトレイ２２６等を搬送することができる。
【０４０１】
特に、シート状のディスクトレイ２２６等を搬送する場合には、該ディスクトレイ２２６に突起物が存在しないため、搬送手段として送りローラー６５、６５、・・・、６９、６９、・・・を用いることにより、最適な搬送動作を行うことができる。
【０４０２】
また、シート状の弾性部材によって形成されたディスクトレイ２２６、２２６、・・を側面部２０６、２０６にそれぞれ形成された保持溝２０６ａ、２０６ａ、・・・に挿入することにより収納ケース２０１に収納するようにしている。
【０４０３】
従って、保持溝２０６ａ、２０６ａ、・・・に挿入することにより隣り合うディスクトレイ２２６、２２６、・・・の両端部が接触せず一定間隔が保持され、ディスクトレイ２２６、２２６、・・・が弾性変形可能な状態で収納ケース２０１に収納され、収納ケース２０１に対するディスク状記録媒体３００の収納枚数を増やすことができる。
【０４０４】
また、ディスクトレイ２２６、２２６、・・・が弾性変形するため、ディスク状記録媒体３００、３００、・・・の損傷や傷付きの発生を抑制することができる。
【０４０５】
さらに、ディスク状記録媒体３００は少なくとも中心部がカバーシート２２８によって覆われるため、ディスク状記録媒体３００の損傷や傷付きの発生を防止することができる。
【０４０６】
加えて、ディスク状記録媒体３００がカバーシート２２８によって覆われると共にディスクトレイ２２６が弾性部材によって形成されているため、カバーシート２２８とディスクトレイ２２６が接触してもディスク状記録媒体３００に損傷や傷付きが発生しない。
【０４０７】
従って、カバーシート２２８とディスクトレイ２２６の接触が許容される分、厚み方向において対向する位置にあるカバーシート２２８とディスクトレイ２２６間の隙間を小さくすることができ、ディスクカートリッジ２００の小型化を確保した上でディスク状記録媒体３００の収納枚数を増加させることができる。
【０４０８】
＜選択番地＞
ディスクチェンジャー１にあっては、収納ケース２０１において、最も上方に収納されるディスクトレイ２２６を選択する番地が１番地とされ、最も下方に収納されるディスクトレイ２２６を選択する番地が２０番地とされている。従って、カートリッジホルダー４４はディスクトレイ２２６の選択動作時には１番地に対応する位置と２０番地に対応する位置との間で上下方向へ移動される。また、フロントパネル３の開口３ａに対してディスクカートリッジ２００が挿入又は排出される位置は、１番地より上方の位置である０番地に対応する位置とされている。従って、カートリッジホルダー４４は開口３ａに対してディスクカートリッジ２００が挿入又は排出されるときには、０番地に対応する位置と１番地に対応する位置との間においても上下方向へ移動される。
【０４０９】
＜ディスクカートリッジに関する機構＞
開口３ａからディスクカートリッジ２００が挿入されると、上記したように、蓋ロック解除機構によって開閉蓋２０３のロックが解除され開閉蓋２０３が回動されて本体２の開口部２０２ａが開放される。また、このときカートリッジロック機構によってカートリッジホルダー４４にディスクカートリッジ２００がロックされる。
【０４１０】
一方、カートリッジホルダー４４にディスクカートリッジ２００が収納された状態において、カートリッジホルダー４４が上方へ移動されて０番地に対応する位置に達したときには、カートリッジロック機構によるディスクカートリッジ２００のカートリッジホルダー４４に対するロックが解除されると共に開閉蓋２０３が回動されて本体２０２に対してロックされ開口部２０２ａが閉塞される。カートリッジロック機構によるディスクカートリッジ２００のカートリッジホルダー４４に対するロックが解除されたときには、フロントパネル３の開口３ａから自動的にディスクカートリッジ２００の一部が排出される。
【０４１１】
＜ディスクチェンジャーの各動作＞
以下に、ディスクチェンジャー１の各動作について図７９乃至図８４のフローチャート図を参照して説明する。
【０４１２】
尚、以下の説明において「ＯＮ」は動作が検出された場合を示し、「ＯＦＦ」は待機状態の場合を示す。
【０４１３】
ディスクチェンジャー１には、図７９に示すように、カートリッジ検出スイッチ９０１、番地カウントスイッチ９０２、番地リセットスイッチ９０３、トレイ収納検出スイッチ９０４、トレイ搬送検出スイッチ９０５、チャッキング状態検出スイッチ９０６及びプレーヤー下降位置検出スイッチ９０７が設けられている。
【０４１４】
カートリッジ検出スイッチ９０１はカートリッジホルダー４４に対するディスクカートリッジ２００の挿入状態を検出するスイッチである。
【０４１５】
番地カウントスイッチ９０２はディスクトレイ２２６を選択する番地をカウントするスイッチであり、番地リセットスイッチ９０３はディスクトレイ２２６を選択する番地をリセットするスイッチである。番地カウントスイッチ９０２は上記した昇降位置検出スイッチ５００に相当する。
【０４１６】
トレイ収納検出スイッチ９０４は収納ケース２０１に対するディスクトレイ２２６の収納状態を検出するスイッチであり、トレイ搬送検出スイッチ９０５はディスクトレイ２２６の記録再生位置への搬送状態を検出するスイッチである。トレイ収納検出スイッチ９０４は上記したトレイ収納検出スイッチ６００に相当する。
【０４１７】
チャッキング状態検出スイッチ９０６はディスク状記録媒体３００に対するチャッキング状態を検出するスイッチであり、プレーヤー下降位置検出スイッチ９０７はディスク駆動機構８７の下方における位置を検出するスイッチである。
【０４１８】
また、ディスクチェンジャー１には、上記した各スイッチ９０１〜９０７、昇降モーター４７、ローディングモーター５８、チャッキングモーター９７、ディスク駆動機構８７、表示部６の制御を行うマイクロコンピュータ１００００が設けられている。マイクロコンピュータ１００００は操作部５、５、・・・に対する操作に応じて入力される信号に基づいて各部に対する制御を行う。
【０４１９】
先ず、ディスクカートリッジ２００がカートリッジホルダー４４に挿入されてからディスク状記録媒体３００の選択を行うまでの動作について説明する（図８０参照）。
【０４２０】
ディスクカートリッジ２００がフロントパネル３に形成された開口３ａから挿入される前の状態においては、カートリッジホルダー４４は最も上方の位置に保持されている。
【０４２１】
また、ユーザーの操作部５に対する操作によって電源が投入されると、マイクロコンピュータ１００００によるカートリッジ検出スイッチ９０１と操作部５に対する検出動作が開始される。
【０４２２】
（Ａ１）ユーザーの操作部５に対する操作によってディスクトレイ２２６に対する選択位置の番地指定が行われる。
【０４２３】
（Ａ２）ユーザーによってディスクカートリッジ２００が開口３ａから挿入される。
【０４２４】
（Ａ３）カートリッジ検出スイッチ９０１の状態検出を行う。カートリッジ検出スイッチ９０１は、カートリッジホルダー４４に対するディスクカートリッジ２００の挿入が検出された場合にはＯＮとなり、カートリッジホルダー４４に対するディスクカートリッジ２００の挿入が検出されなかった場合にはＯＦＦとなる。カートリッジ検出スイッチ９０１がＯＮの場合には（Ａ４）に移行する。一方、カートリッジ検出スイッチ９０１がＯＦＦの場合には（Ａ３）の検出動作を繰り返し行う。
【０４２５】
（Ａ４）昇降モーター４７を駆動し、カートリッジホルダー４４を下方へ移動する。
【０４２６】
（Ａ５）番地リセットスイッチ９０３の状態検出を行う。番地リセットスイッチ９０３は、０番地がカウントされていることが検出された場合にはＯＮとなり、０番地がカウントされていることが検出されなかった場合にはＯＦＦとなる。番地リセットスイッチ９０３がＯＮの場合には（Ａ６）に移行する。一方、番地リセットスイッチ９０３がＯＦＦの場合には（Ａ４）に移行する。
【０４２７】
（Ａ６）番地カウントスイッチ９０２に対するカウントを開始する。番地カウントスイッチ９０２が次にＯＮになった場合が１番地として設定されており、１番地から番地カウントスイッチ９０２のＯＮの回数をカウントし、カウント数を番地カウンタに記憶する。
【０４２８】
（Ａ７）（Ａ１）における操作部５に対する操作によって指定された番地の数値と番地カウンタの数値が一致するか否かを検出する。一致する場合には（Ａ８）に移行する。一方、一致しない場合には（Ａ７）の検出動作を繰り返し行う。
【０４２９】
（Ａ８）昇降モーター４７を停止する。
【０４３０】
次に、ディスクカートリッジ２００に収納されユーザーによって指定された番地のディスク状記録媒体３００に対する再生を行う動作について説明する（図８１参照）。
【０４３１】
（Ｂ１）ユーザーの操作部５に対する操作によって指定された番地のディスク状記録媒体３００に対する再生の入力が行われる。
【０４３２】
（Ｂ２）トレイ収納検出スイッチ９０４の状態検出を行う。トレイ収納検出スイッチ９０４は、収納ケース２０１に対するディスクトレイ２２６の収納が検出された場合にはＯＮとなり、収納ケース２０１に対するディスクトレイ２２６の収納が検出されなかった場合にはＯＦＦとなる。トレイ収納検出スイッチ９０４がＯＮの場合には（Ｂ３）に移行する。一方、トレイ収納検出スイッチ９０４がＯＦＦの場合には、後述する「再生動作の状態からディスク状記録媒体３００を元の番地に戻す動作（図８２参照）」のフローに移行する。
【０４３３】
（Ｂ３）プレーヤー下降位置検出スイッチ９０７の状態検出を行う。プレーヤー下降位置検出スイッチ９０７は、ディスク状記録媒体３００に対するディスクテーブル９３等によるチャッキングが行われていることが検出された場合にはＯＮとなり、ディスク状記録媒体３００に対するディスクテーブル９３等によるチャッキングが行われていることが検出されなかった場合にはＯＦＦとなる。プレーヤー下降位置検出スイッチ９０７がＯＦＦの場合には（Ｂ４）に移行する。一方、プレーヤー下降位置検出スイッチ９０７がＯＮの場合には、後述する「再生動作の状態からディスク状記録媒体３００を元の番地に戻す動作（図８２参照）」のフローに移行する。
【０４３４】
（Ｂ４）ローディングモーター５８を駆動し、ディスクトレイ２２６を収納ケース２０１から記録再生位置まで搬送する。
【０４３５】
（Ｂ５）トレイ搬送検出スイッチ９０５の状態検出を行う。トレイ搬送検出スイッチ９０５は、ディスクトレイが記録再生位置まで搬送されたことが検出された場合にはＯＮとなり、ディスクトレイが記録再生位置まで搬送されたことが検出されなかった場合にはＯＦＦとなる。トレイ搬送検出スイッチ９０５がＯＮの場合には（Ｂ６）に移行する。一方、トレイ搬送検出スイッチ９０５がＯＦＦの場合には（Ｂ４）に移行する。
【０４３６】
（Ｂ６）ローディングモーター５８を停止する。
【０４３７】
（Ｂ７）チャッキングモーター９７を駆動し、ディスク駆動機構８７を上方へ移動する。
【０４３８】
（Ｂ８）チャッキング状態検出スイッチ９０６の状態検出を行う。チャッキング状態検出スイッチ９０６がＯＮの場合には（Ｂ９）に移行する。一方、チャッキング状態検出スイッチ９０６がＯＦＦの場合には（Ｂ７）に移行する。
【０４３９】
（Ｂ９）チャッキングモーター９７を停止する。
【０４４０】
（Ｂ１０）ディスク駆動機構８７に対して再生指令を行い、スピンドルモーター９２を駆動すると共に光ピックアップ９１を駆動してディスク状記録媒体３００に対する再生動作を行う。
【０４４１】
次いで、ディスク状記録媒体３００に対する再生動作の状態からディスク状記録媒体３００を元の番地に戻す動作について説明する（図８２参照）。
【０４４２】
（Ｃ１）ユーザーの操作部５に対する操作によってディスク状記録媒体３００に対する再生の停止の入力が行われる。
【０４４３】
（Ｃ２）ディスク駆動機構８７に対して再生停止指令を行い、スピンドルモーター９２を停止すると共に光ピックアップ９１の駆動を停止してディスク状記録媒体３００に対する再生動作を終了する。
【０４４４】
（Ｃ３）ディスク駆動機構８７からの停止した旨の信号の入力を検出する。信号の入力を検出した場合には（Ｃ４）に移行する。一方、信号の入力を検出しなかった場合には（Ｃ３）の動作を繰り返し行う。
【０４４５】
（Ｃ４）トレイ搬送検出スイッチ９０５の状態検出を行う。トレイ搬送検出スイッチ９０５がＯＮの場合には（Ｃ５）に移行する。一方、トレイ搬送検出スイッチ９０５がＯＦＦの場合にはエラー表示を行って動作を停止する。
【０４４６】
（Ｃ５）チャッキングモーター９７を駆動し、ディスク駆動機構８７を下方へ移動する。
【０４４７】
（Ｃ６）プレーヤー下降位置検出スイッチ９０７の状態検出を行う。プレーヤー下降位置検出スイッチ９０７がＯＮの場合には（Ｃ７）に移行する。一方、プレーヤー下降位置検出スイッチ９０７がＯＦＦの場合には（Ｃ５）に移行する。
【０４４８】
（Ｃ７）チャッキングモーター９７を停止する。
【０４４９】
（Ｃ８）ローディングモーター５８を駆動し、ディスクトレイ２２６を記録再生位置から収納ケース２０１まで搬送する。
【０４５０】
（Ｃ９）トレイ収納検出スイッチ９０４の状態検出を行う。トレイ収納検出スイッチ９０４は、収納ケース２０１に対するディスクトレイ２２６の収納が検出された場合にはＯＮとなり、収納ケース２０１に対するディスクトレイ２２６の収納が検出されなかった場合にはＯＦＦとなる。トレイ収納検出スイッチ９０４がＯＮの場合には（Ｃ１０）に移行する。一方、トレイ収納検出スイッチ９０４がＯＦＦの場合には（Ｃ８）に移行する。
【０４５１】
（Ｃ１０）ローディングモーター５８を停止する。
【０４５２】
続いて、ユーザーによって指定された選択位置の番地の変更動作について説明する（図８３参照）。
【０４５３】
（Ｄ１）ユーザーの操作部５に対する操作によって新しい選択位置の番地の入力が行われる。
【０４５４】
（Ｄ２）トレイ収納検出スイッチ９０４の状態検出を行う。トレイ収納検出スイッチ９０４がＯＮの場合には（Ｄ３）に移行する。一方、トレイ収納検出スイッチ９０４がＯＦＦの場合には、「再生動作の状態からディスク状記録媒体３００を元の番地に戻す動作（図８２参照）」のフローに移行する。
【０４５５】
（Ｄ３）（Ｄ１）における操作部５に対する操作によって指定された番地の数値と番地カウンタの数値が一致するか否かを検出する。一致しない場合には（Ｄ４）に移行する。一方、一致する場合には動作を行わない。
【０４５６】
（Ｄ４）（Ｄ１）における操作部５に対する操作によって指定された番地の数値と番地カウンタの数値の大小を検出する。指定された番地の数値が番地カウンタの数値より小さい場合には（Ｄ５）に移行する。一方、指定された番地の数値が番地カウンタの数値より大きい場合には（Ｄ６）に移行する。
【０４５７】
（Ｄ５）昇降モーター４７を駆動し、カートリッジホルダー４４を上方へ移動する。この場合に、番地カウントスイッチ９０２がＯＮになる毎に、番地カウンタの数値から１を引き、カートリッジホルダー４４を一番地ずつ上方へ移動する。
【０４５８】
（Ｄ６）昇降モーター４７を駆動し、カートリッジホルダー４４を下方へ移動する。この場合に、番地カウントスイッチ９０２がＯＮになる毎に、番地カウンタの数値に１を足し、カートリッジホルダー４４を一番地ずつ下方へ移動する。
【０４５９】
（Ｄ７）（Ｄ１）における操作部５に対する操作によって指定された番地の数値と番地カウンタの数値が一致するか否かを検出する。一致する場合には（Ｄ８）に移行する。一方、一致しない場合には（Ｄ４）に移行する。
【０４６０】
（Ｄ８）昇降モーター４７を停止する。
【０４６１】
次に、ディスクカートリッジ２００をカートリッジホルダー４４から排出する動作について説明する（図８４参照）。
【０４６２】
（Ｅ１）ユーザーの操作部５に対する操作によってディスクカートリッジ２００のイジェクトの入力が行われる。
【０４６３】
（Ｅ２）トレイ収納検出スイッチ９０４の状態検出を行う。トレイ収納検出スイッチ９０４がＯＮの場合には（Ｅ３）に移行する。一方、トレイ収納検出スイッチ９０４がＯＦＦの場合には、「再生動作の状態からディスク状記録媒体３００を元の番地に戻す動作（図８２参照）」に移行する。
【０４６４】
（Ｅ３）昇降モーター４７を駆動し、カートリッジホルダー４４を上方へ移動する。
【０４６５】
（Ｅ４）番地カウンタの数値が１か否かを検出する。番地カウンタの数値が１の場合には（Ｅ５）に移行する。一方、番地カウンタの数値が１でない場合には（Ｅ３）に移行する。
【０４６６】
（Ｅ５）番地リセットスイッチ９０３の状態検出を行う。番地リセットスイッチ９０３がＯＮの場合には（Ｅ３）に移行する。一方、番地リセットスイッチ９０３がＯＦＦの場合には（Ｅ６）に移行する。
【０４６７】
（Ｅ６）昇降モーター４７を駆動し、カートリッジホルダー４４を上方へ移動する。
【０４６８】
（Ｅ７）カートリッジ検出スイッチ９０１の状態検出を行う。カートリッジ検出スイッチ９０１がＯＦＦの場合には（Ｅ８）に移行する。一方、カートリッジ検出スイッチ９０１がＯＮの場合には（Ｅ６）に移行する。
【０４６９】
（Ｅ８）昇降モーター４７を停止し、ディスクカートリッジ２００のカートリッジホルダー４４からの排出動作を完了する。
【０４７０】
尚、上記には、ディスクトレイ２２６、ディスク状記録媒体３００及びカバーシート２２８が上下方向（垂直方向）を向く向きで収納ケース２０１に収納された例を示したが、ディスクトレイ２２６、ディスク状記録媒体３００及びカバーシート２２８の収納の向きが水平方向である場合にも本発明を適用することが可能である。
【０４７１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０４７２】
【図１】図２乃至図８４と共に本発明の最良の形態を示すものであり、本図は、ディスクチェンジャーとディスクカートリッジを示す概略斜視図である。
【図２】ディスクカートリッジの分解斜視図である。
【図３】ディスクカートリッジの一部を分解して示す斜視図である。
【図４】トレイ用レバー及び付勢バネ等を示す拡大斜視図である。
【図５】金属板の一部を示す拡大斜視図である。
【図６】ディスクカートリッジの拡大正面図である。
【図７】ディスクカートリッジの一部を示す拡大断面図である。
【図８】ディスクトレイ等を二つのグループに分離して示すディスクカートリッジの斜視図である。
【図９】ディスクトレイ、ディスク状記録媒体及びカバーシートを分離して示す斜視図である。
【図１０】ディスクトレイのタブの位置関係を示す拡大斜視図である。
【図１１】ディスクトレイ、ディスク状記録媒体及びカバーシートを示す斜視図である。
【図１２】収納ケースに対するディスクトレイ等の収納状態を示す概念図である。
【図１３】収納ケースにディスクトレイ等が収納された状態を示す斜視図である。
【図１４】開閉蓋によってディスクトレイ等が位置決めされている状態を示す拡大断面図である。
【図１５】収納ケースに対するディスクトレイ等の収納状態をディスクトレイ等が撓んだ状態で示す概念図である。
【図１６】保持溝の幅と各部の厚みとの関係等を示す概念図である。
【図１７】ディスクトレイ等が撓んだ状態を両端支持梁のモデルで説明するための概念図である。
【図１８】ディスクトレイ等が撓んだ状態における寸法関係を示す模式図である。
【図１９】ディスクトレイ等が撓んだ状態における寸法関係を図１８とは異なる方法で示す模式図である。
【図２０】ディスクトレイ等が撓んだ状態における寸法関係を図１９とは異なる方法で示す模式図である。
【図２１】収納されたディスクトレイとトレイ用レバー等との位置関係を示す概念図である。
【図２２】図２３乃至図２９と共にトレイ用レバーの動作を示すものであり、本図は、ディスクトレイのタブがトレイ用レバーによってロックされている状態を示す拡大平面図である。
【図２３】図２２に引き続きディスクトレイのタブに対するトレイ用レバーのロックが解除された状態を示す拡大平面図である。
【図２４】図２３に引き続きトレイ用レバーが回動されている状態を示す拡大平面図である。
【図２５】図２４に引き続きトレイ用レバーが回動されている状態を示す拡大平面図である。
【図２６】図２５に引き続きトレイ用レバーが押圧完了位置まで回動された状態を示す拡大平面図である。
【図２７】図２６に引き続きトレイ用レバーに対する操作ピンの押圧が解除され、トレイ用レバーが待機位置に保持された状態を示す拡大平面図である。
【図２８】トレイ用レバーがタブによって押圧されて回動されている状態を示す拡大平面図である。
【図２９】図２８に引き続きトレイ用レバーがタブによって押圧されて回動されている状態を示す拡大平面図である。
【図３０】ディスクチェンジャーの構成を示す概略図である。
【図３１】ベースシャーシの斜視図である。
【図３２】ディスクチェンジャーの内部構造を示す斜視図である。
【図３３】ディスクチェンジャーの内部構造を一部を省略して示す斜視図である。
【図３４】ディスクチェンジャーの内部構造における前端側の部分を示す拡大斜視図である。
【図３５】図３４において作用レバーを省略して示す拡大斜視図である。
【図３６】選択スライダーの拡大分解斜視図である。
【図３７】ピン取付部材が回動されて操作ピンがピン支持部材から突出された状態を示す拡大側面図である。
【図３８】ピン取付部材による操作ピンに対する押圧が行われていない状態を示す拡大側面図である。
【図３９】ベースシャーシと該ベースシャーシに配置される各部を一部を分解して示す斜視図である。
【図４０】ベースシャーシと該ベースシャーシに配置される各部を一部を分解して示す斜視図である。
【図４１】各ギヤを示す拡大斜視図である。
【図４２】カートリッジホルダーを示す拡大分解斜視図である。
【図４３】ディスクローディングブロック等の構成部品を示す拡大分解斜視図である。
【図４４】ディスクローディングブロック及びディスクイジェクトブロックの構成部品を示す拡大分解斜視図である。
【図４５】搬送ユニットの拡大分解斜視図である。
【図４６】搬送ユニットの一部を分解して示す拡大斜視図である。
【図４７】ディスクローディングブロックの作動レバーが後方の移動端まで移動されたときの各部の状態を示す拡大側面図である。
【図４８】ディスクローディングブロックの作動レバーが前方の移動端まで移動されたときの各部の状態を示す拡大側面図である。
【図４９】ディスクローディングブロックの作動レバーが回動されている状態を示す拡大平面図である。
【図５０】ディスクイジェクトブロックの構成部品を示す拡大分解斜視図である。
【図５１】リターンレバー等を示す拡大分解斜視図である。
【図５２】リターンレバー等を示す拡大斜視図である。
【図５３】ディスクイジェクトブロックの作動レバーが後方の移動端まで移動されたときの各部の状態を示す拡大側面図である。
【図５４】ディスクイジェクトブロックの作動レバーが前方の移動端まで移動されたときの各部の状態を示す拡大側面図である。
【図５５】ディスクイジェクトブロックの作動レバーが回動されている状態を示す拡大平面図である。
【図５６】戻しバネによって伝達レバーが付勢されている状態を示す拡大側面図である。
【図５７】図５８乃至図６５と共にリターンレバーの動作を示すものであり、本図は、ディスクトレイが収納ケースから突出される前の状態を一部を断面にして示す拡大平面図である。
【図５８】ディスクトレイが収納ケースから突出された状態を一部を断面にして示す拡大平面図である。
【図５９】ディスクトレイが収納ケースからさらに突出された状態を一部を断面にして示す拡大平面図である。
【図６０】ディスクトレイが収納ケースに収納されている途中の状態を一部を断面にして示す拡大平面図である。
【図６１】図６０に引き続きディスクトレイが収納ケースに収納されている途中の状態を一部を断面にして示す拡大平面図である。
【図６２】図６１に引き続きディスクトレイが収納ケースに収納されている途中の状態を一部を断面にして示す拡大平面図である。
【図６３】図６２に引き続きディスクトレイが収納ケースに収納されている途中の状態を一部を断面にして示す拡大平面図である。
【図６４】図６３に引き続きディスクトレイが収納ケースに収納されている途中の状態を一部を断面にして示す拡大平面図である。
【図６５】図６４に引き続きディスクトレイが収納ケースに収納された状態を一部を断面にして示す拡大平面図である。
【図６６】支持プレートとディスク駆動機構等を一部を分解して示す斜視図である。
【図６７】ディスク駆動機構等を示す拡大分解斜視図である。
【図６８】ディスク保持ユニットの分解斜視図である。
【図６９】ディスク保持ユニットの斜視図である。
【図７０】ディスク状記録媒体がチャッキングされる前の状態を一部を断面にして示す拡大側面図である。
【図７１】剥がしレバーによってカバーシートの一部が剥がされた状態を示す拡大斜視図である。
【図７２】剥がしレバーによってカバーシートの一部が剥がされた状態を示す拡大側面図である。
【図７３】剥がしレバーによってカバーシートが剥がされた状態を示す拡大側面図である。
【図７４】ディスクトレイの位置決め縁が位置決め用リブに接触してディスクトレイの位置決めが行われた状態を示す平面図である。
【図７５】位置決め軸によってディスク状記録媒体の位置決めが行われた状態を示す平面図である。
【図７６】位置決め軸によってディスク状記録媒体の位置決めが行われた状態を示す斜視図である。
【図７７】ディスク状記録媒体がチャッキングされた状態を一部を断面にして示す拡大側面図である。
【図７８】ディスク状記録媒体がチャッキングされて回転されている状態を一部を断面にして示す拡大側面図である。
【図７９】ディスクチェンジャーのブロック図である。
【図８０】ディスクカートリッジがカートリッジホルダーに挿入されてからディスク状記録媒体の選択を行うまでの動作についてのフローチャート図である。
【図８１】ディスクカートリッジに収納されユーザーによって指定された番地のディスク状記録媒体に対する再生を行う動作についてのフローチャート図である。
【図８２】ディスク状記録媒体に対する再生動作の状態からディスク状記録媒体を元の番地に戻す動作についてのフローチャート図である。
【図８３】ユーザーによって指定された選択位置の番地の変更動作についてのフローチャート図である。
【図８４】ディスクカートリッジをカートリッジホルダーから排出する動作についてのフローチャート図である。
【符号の説明】
【０４７３】
１…ディスクチェンジャー、３００…ディスク状記録媒体、２０００…ディスク選択ブロック、３０００…カートリッジ保持ブロック、５０００…ディスクローディングブロック（ディスク搬送ブロック）、６０００…ディスクイジェクトブロック（ディスク搬送ブロック）、７Ａ…選択スライダー、８…ガイド軸、４１…ギヤ群、４２Ａ…大ギヤ、４３Ａ…小ギヤ、４２Ｂ…大ギヤ、４３Ｂ…小ギヤ、４４…カートリッジホルダー、４７…昇降モーター
【図１】
2010160844.tif 000003
【図２】
2010160844.tif 000004
【図３】
2010160844.tif 000005
【図４】
2010160844.tif 000006
【図５】
2010160844.tif 000007
【図６】
2010160844.tif 000008
【図７】
2010160844.tif 000009
【図８】
2010160844.tif 000010
【図９】
2010160844.tif 000011
【図１０】
2010160844.tif 000012
【図１１】
2010160844.tif 000013
【図１２】
2010160844.tif 000014
【図１３】
2010160844.tif 000015
【図１４】
2010160844.tif 000016
【図１５】
2010160844.tif 000017
【図１６】
2010160844.tif 000018
【図１７】
2010160844.tif 000019
【図１８】
2010160844.tif 000020
【図１９】
2010160844.tif 000021
【図２０】
2010160844.tif 000022
【図２１】
2010160844.tif 000023
【図２２】
2010160844.tif 000024
【図２３】
2010160844.tif 000025
【図２４】
2010160844.tif 000026
【図２５】
2010160844.tif 000027
【図２６】
2010160844.tif 000028
【図２７】
2010160844.tif 000029
【図２８】
2010160844.tif 000030
【図２９】
2010160844.tif 000031
【図３０】
2010160844.tif 000032
【図３１】
2010160844.tif 000033
【図３２】
2010160844.tif 000034
【図３３】
2010160844.tif 000035
【図３４】
2010160844.tif 000036
【図３５】
2010160844.tif 000037
【図３６】
2010160844.tif 000038
【図３７】
2010160844.tif 000039
【図３８】
2010160844.tif 000040
【図３９】
2010160844.tif 000041
【図４０】
2010160844.tif 000042
【図４１】
2010160844.tif 000043
【図４２】
2010160844.tif 000044
【図４３】
2010160844.tif 000045
【図４４】
2010160844.tif 000046
【図４５】
2010160844.tif 000047
【図４６】
2010160844.tif 000048
【図４７】
2010160844.tif 000049
【図４８】
2010160844.tif 000050
【図４９】
2010160844.tif 000051
【図５０】
2010160844.tif 000052
【図５１】
2010160844.tif 000053
【図５２】
2010160844.tif 000054
【図５３】
2010160844.tif 000055
【図５４】
2010160844.tif 000056
【図５５】
2010160844.tif 000057
【図５６】
2010160844.tif 000058
【図５７】
2010160844.tif 000059
【図５８】
2010160844.tif 000060
【図５９】
2010160844.tif 000061
【図６０】
2010160844.tif 000062
【図６１】
2010160844.tif 000063
【図６２】
2010160844.tif 000064
【図６３】
2010160844.tif 000065
【図６４】
2010160844.tif 000066
【図６５】
2010160844.tif 000067
【図６６】
2010160844.tif 000068
【図６７】
2010160844.tif 000069
【図６８】
2010160844.tif 000070
【図６９】
2010160844.tif 000071
【図７０】
2010160844.tif 000072
【図７１】
2010160844.tif 000073
【図７２】
2010160844.tif 000074
【図７３】
2010160844.tif 000075
【図７４】
2010160844.tif 000076
【図７５】
2010160844.tif 000077
【図７６】
2010160844.tif 000078
【図７７】
2010160844.tif 000079
【図７８】
2010160844.tif 000080
【図７９】
2010160844.tif 000081
【図８０】
2010160844.tif 000082
【図８１】
2010160844.tif 000083
【図８２】
2010160844.tif 000084
【図８３】
2010160844.tif 000085
【図８４】
2010160844.tif 000086